(57)【要約】無線通信においてアップリンク伝送リソースをプリエンプトするための方法、装置、およびシステムが、開示される。一実施形態では、無線通信デバイスによって実施される方法が、開示される。本方法は、インジケーション情報を受信するステップであって、インジケーション情報は、第１のリソース領域が少なくとも部分的にプリエンプトされることを示す、ステップと、インジケーション情報に基づいて、アップリンク伝送をキャンセルまたは停止またはパンクチャ処理するステップとを含む。
2021520135.tif 000002
【特許請求の範囲】
【請求項１】
無線通信デバイスによって実施される方法であって、前記方法は、
インジケーション情報を受信することであって、前記インジケーション情報は、第１のリソース領域が少なくとも部分的にプリエンプトされることを示す、ことと、
前記インジケーション情報に基づいて、アップリンク伝送をキャンセルまたは停止またはパンクチャ処理することと
を含む、方法。
【請求項２】
前記アップリンク伝送は、物理アップリンク共有チャネル（ＰＵＳＣＨ）、物理アップリンク制御チャネル（ＰＵＣＣＨ）、サウンディング基準信号（ＳＲＳ）のうちの少なくとも１つに基づくデータ伝送を含む、請求項１に記載の方法。
【請求項３】
前記第１のリソース領域のオフセット値および前記第１のリソース領域の長さのうちの少なくとも１つに基づいて、前記第１のリソース領域を識別することをさらに含む、請求項１に記載の方法。
【請求項４】
前記オフセット値は、固定値、上位層シグナリングによって構成される値、および前記インジケーション情報内に含まれる値のうちの少なくとも１つに基づいて決定され、
前記オフセット値は、前記インジケーション情報が位置する制御リソースセットの開始または終了シンボルからオフセットされるシンボルまたはスロットの数を表す、請求項３に記載の方法。
【請求項５】
前記長さは、固定値、上位層シグナリングによって構成される値、および前記インジケーション情報内に含まれる値のうちの少なくとも１つに基づいて決定され、
前記上位層シグナリングによって構成される値は、前記インジケーション情報の監視周期の整数倍である、請求項３に記載の方法。
【請求項６】
前記第１のリソース領域は、アップリンク伝送プリエンプトによって少なくとも部分的にプリエンプトされ、
前記オフセット値は、前記アップリンク伝送プリエンプトのスケジューリング遅延よりも大きくなく、
前記アップリンク伝送プリエンプトのスケジューリング遅延は、
前記インジケーション情報の処理遅延と、
前記処理遅延およびタイミングアドバンス（ＴＡ）の合計であって、前記ＴＡは、前記無線通信デバイスのＴＡおよび前記無線通信デバイスを含む無線通信デバイスのグループの最大ＴＡのうちの少なくとも１つである、前記処理遅延およびタイミングアドバンス（ＴＡ）の合計と
のうちの少なくとも１つよりも小さくない、請求項３に記載の方法。
【請求項７】
前記インジケーション情報は、
第１の量のビットであって、そのそれぞれが、前記第１の量の監視周期を含む前記第１のリソース領域内の対応する監視周期がプリエンプトされるかどうかを示す、第１の量のビットと、
第２の量のビットであって、そのそれぞれが、前記第２の量の無線通信デバイスのグループのうちの対応するものからのアップリンク伝送がプリエンプトされるかどうかを示す、第２の量のビットと
のうちの少なくとも１つを含む、請求項１に記載の方法。
【請求項８】
前記アップリンク伝送は、前記第１のリソース領域と対立する第２のリソース領域上でスケジューリングまたは構成される、請求項１に記載の方法。
【請求項９】
受信されたアップリンク（ＵＬ）グラントに応答して、インジケーション情報の検出を開始することと、
前記第１のリソース領域と前記第２のリソース領域との間の対立に応答して、前記アップリンク伝送をキャンセルまたは停止またはパンクチャ処理することと、
前記第１のリソース領域と前記第２のリソース領域との間の対立が存在するかどうかにかかわらず、前記アップリンク伝送をキャンセルまたは停止することと、
前記アップリンク伝送を停止し、前記プリエンプトされたリソースの後に再開することと、
前記アップリンク伝送を停止し、前記プリエンプトされたリソースの後に遅延させることと、
次のＵＬグラントが受信されるまで、後続インジケーション情報の検出を停止することと、
前記第１のリソース領域が位置するスロット内のアップリンク伝送をキャンセルすることと、
前記スロット内の前記第１のリソース領域に続くリソース領域を示す後続インジケーション情報の検出を停止することと、
前記アップリンク伝送とのいかなる対立も有していないプリエンプトされたリソース領域を示す後続インジケーション情報に応答して、前記スロット内の前記アップリンク伝送を再開することと
のうちの少なくとも１つをさらに含む、請求項８に記載の方法。
【請求項１０】
前記アップリンク伝送は、複数のスロットを含む前記第２のリソース領域上でスロットアグリゲーションの様式で伝送されるようにスケジューリングされており、
前記複数のスロットは、少なくとも１つのプリエンプトされたスロットを含み、
前記方法はさらに、
前記スロットアグリゲーションに従って、前記少なくとも１つのプリエンプトされたスロット内にスケジューリングされた第１の冗長バージョンを決定することと、
前記第１の冗長バージョンが冗長バージョン０（ＲＶ０）であることに基づいて、前記少なくとも１つのプリエンプトされたスロットの後に前記第１の冗長バージョンを伝送することと、
オリジナル冗長バージョンパターンに基づいて、前記少なくとも１つのプリエンプトされたスロットの後に第２の冗長バージョンを伝送することと
を含む、請求項８に記載の方法。
【請求項１１】
無線通信ノードによって実施される方法であって、前記方法は、
インジケーション情報を伝送することであって、
前記インジケーション情報は、第１のリソース領域が少なくとも部分的にプリエンプトされることを示し、
アップリンク伝送は、前記インジケーション情報に基づいて、キャンセルまたは停止またはパンクチャ処理されるべきである、こと
を含む、方法。
【請求項１２】
前記アップリンク伝送は、物理アップリンク共有チャネル（ＰＵＳＣＨ）、物理アップリンク制御チャネル（ＰＵＣＣＨ）、サウンディング基準信号（ＳＲＳ）のうちの少なくとも１つに基づくデータ伝送を含む、請求項１１に記載の方法。
【請求項１３】
前記第１のリソース領域は、前記第１のリソース領域のオフセット値および前記第１のリソース領域の長さのうちの少なくとも１つに基づいて決定される、請求項１１に記載の方法。
【請求項１４】
前記オフセット値は、固定値、上位層シグナリングによって構成される値、および前記インジケーション情報内に含まれる値のうちの少なくとも１つに基づいて決定され、
前記オフセット値は、前記インジケーション情報が位置する制御リソースセットの開始または終了シンボルからオフセットされるシンボルまたはスロットの数を表す、請求項１３に記載の方法。
【請求項１５】
前記長さは、固定値、上位層シグナリングによって構成される値、および前記インジケーション情報内に含まれる値のうちの少なくとも１つに基づいて決定され、
前記上位層シグナリングによって構成される値は、前記インジケーション情報の監視周期の整数倍である、請求項１３に記載の方法。
【請求項１６】
前記第１のリソース領域は、アップリンク伝送プリエンプトによって少なくとも部分的にプリエンプトされ、
前記オフセット値は、前記アップリンク伝送プリエンプトのスケジューリング遅延よりも大きくなく、
前記アップリンク伝送プリエンプトのスケジューリング遅延は、
前記インジケーション情報の処理遅延と、
前記処理遅延およびタイミングアドバンス（ＴＡ）の合計であって、前記ＴＡは、前記無線通信デバイスのＴＡおよび前記無線通信デバイスを含む無線通信デバイスのグループの最大ＴＡのうちの少なくとも１つである、前記処理遅延およびタイミングアドバンス（ＴＡ）の合計と
のうちの少なくとも１つよりも小さくない、請求項１３に記載の方法。
【請求項１７】
前記インジケーション情報は、
第１の量のビットであって、そのそれぞれが、前記第１の量の監視周期を含む前記第１のリソース領域内の対応する監視周期がプリエンプトされるかどうかを示す、第１の量のビットと、
第２の量のビットであって、そのそれぞれが、前記第２の量の無線通信デバイスのグループのうちの対応するものからのアップリンク伝送がプリエンプトされるかどうかを示す、第２の量のビットと
のうちの少なくとも１つを含む、請求項１１に記載の方法。
【請求項１８】
前記アップリンク伝送は、前記第１のリソース領域と対立する第２のリソース領域上でスケジューリングまたは構成される、請求項１１に記載の方法。
【請求項１９】
請求項１−１０のいずれか１項に記載の方法を実行するように構成される、無線通信デバイス。
【請求項２０】
請求項１１−１８のいずれか１項に記載の方法を実行するように構成される、無線通信ノード。
【請求項２１】
請求項１−１８のいずれか１項に記載の方法を実行するためのコンピュータ実行可能命令をその上に記憶している、非一過性コンピュータ可読媒体。
【発明の詳細な説明】
【技術分野】
【０００１】
本開示は、概して、無線通信に関し、より具体的には、無線通信においてアップリンク伝送リソースをプリエンプトするための方法、装置、およびシステムに関する。
【背景技術】
【０００２】
第４世代モバイル通信技術（４Ｇ）のロングタームエボリューション（ＬＴＥ）またはＬＴＥ−Ａｄｖａｎｃｅ（ＬＴＥ−Ａ）および第５世代モバイル通信技術（５Ｇ）は、ますます需要が高まっている。現在の開発傾向に基づいて、４Ｇおよび５Ｇシステムは、拡張モバイルブロードバンド（ｅＭＢＢ）、超高信頼性低待ち時間通信（ＵＲＬＬＣ）、および大規模マシンタイプ通信（ｍＭＴＣ）の特徴に対するサポートを開発している。
【０００３】
超高信頼性および超低待ち時間伝送の特徴をサポートするために、短い伝送時間で低遅延および高信頼性サービスを伝送することが、望ましい。同時に、低遅延および高信頼性サービスは、他のサービスが、まだ伝送されていない、または伝送されているとき、より長い伝送時間を伴う他のサービスのリソースの少なくとも一部をプリエンプトすることができる。低遅延および高信頼性サービスに対する性能影響を可能な限り低減させるために、より長い伝送時間間隔またはより低い信頼性を伴うサービスは、同一のリソース上での低遅延および高信頼性サービスとの同時伝送を回避するために、キャンセルまたは停止される必要がある。現在、ダウンリンクサービスプリエンプション伝送に関して、１４個のブロックが、構成された基準ダウンリンクリソースにおいて分割され、各ブロックは、これがビットマップに基づいてプリエンプトされるかどうかが示される。しかしながら、アップリンクプリエンプション伝送に関するアップリンク基準リソースを決定し、アップリンクリソースプリエンプションを示すためのいかなる既存の方法も、存在しない。
【０００４】
したがって、無線通信においてリソースプリエンプションを示すための既存のシステムおよび方法は、完全には満足の行くものではない。
【発明の概要】
【課題を解決するための手段】
【０００５】
本明細書に開示される例示的実施形態は、従来技術において提示される問題のうちの１つ以上のものに関連する問題を解決すること、および付随の図面と併せて検討されるとき、以下の詳細な説明を参照することによって容易に明白となるであろう付加的特徴を提供することを対象とする。種々の実施形態に従って、例示的システム、方法、デバイス、およびコンピュータプログラム製品が、本明細書に開示される。しかしながら、これらの実施形態は、限定ではなく、実施例として提示されることを理解されたく、開示される実施形態の種々の修正が、本開示の範囲内に留まりながら行われ得ることが、本開示を熟読する当業者に明白となるであろう。
【０００６】
一実施形態では、無線通信デバイスによって実施される方法が、開示される。本方法は、インジケーション情報を受信するステップであって、インジケーション情報は、第１のリソース領域が少なくとも部分的にプリエンプトされることを示す、ステップと、インジケーション情報に基づいて、アップリンク伝送をキャンセルまたは停止またはパンクチャ処理するステップとを含む。
【０００７】
別の実施形態では、無線通信ノードによって実施される方法が、開示される。本方法は、インジケーション情報を伝送するステップであって、インジケーション情報は、第１のリソース領域が少なくとも部分的にプリエンプトされることを示し、アップリンク伝送は、インジケーション情報に基づいて、キャンセルまたは停止またはパンクチャ処理されるべきである、ステップを含む。
【０００８】
異なる実施形態では、いくつかの実施形態において開示される方法を実行するように構成される、無線通信ノードが、開示される。
【０００９】
さらに別の実施形態では、いくつかの実施形態において開示される方法を実行するように構成される、無線通信デバイスが、開示される。
【００１０】
なおも別の実施形態では、いくつかの実施形態において開示される方法を実行するためのコンピュータ実行可能命令をその上に記憶している、非一過性コンピュータ可読媒体が、開示される。
【００１１】
本開示の種々の例示的実施形態が、以下の図を参照して、下記に詳細に説明される。図面は、図示のみを目的として提供され、単に、本開示の読者の理解を促進するために、本開示の例示的実施形態を描写する。したがって、図面は、本開示の範疇、範囲、または可用性の限定と見なされるべきではない。明確化および容易な図示のために、これらの図面は、必ずしも縮尺通りに描かれないことに留意されたい。
【図面の簡単な説明】
【００１２】
【図１】図１は、本開示のある実施形態による、本明細書に開示される技法が実装され得る、例示的通信ネットワークを図示する。
【００１３】
【図２】図２は、本開示のいくつかの実施形態による、基地局（ＢＳ）のブロック図を図示する。
【００１４】
【図３】図３は、本開示のいくつかの実施形態による、無線通信においてアップリンク伝送リソースをプリエンプトするためにＢＳによって実施される方法に関するフローチャートを図示する。
【００１５】
【図４】図４は、本開示のいくつかの実施形態による、ユーザ機器（ＵＥ）のブロック図を図示する。
【００１６】
【図５】図５は、本開示のいくつかの実施形態による、無線通信においてアップリンク伝送リソースをプリエンプトするためにＵＥによって実施される方法に関するフローチャートを図示する。
【００１７】
【図６】図６は、本開示のある実施形態による、アップリンクリソースプリエンプションを示すための例示的方法を図示する。
【００１８】
【図７】図７は、本開示のある実施形態による、アップリンクリソースプリエンプションを示すための別の例示的方法を図示する。
【００１９】
【図８】図８は、本開示のある実施形態による、基準アップリンクリソースの動的に示される長さを用いてアップリンクリソースプリエンプションを示すための例示的方法を図示する。
【００２０】
【図９】図９は、本開示のある実施形態による、基準アップリンクリソースの動的に示された長さを用いてアップリンクリソースプリエンプションを示すための別の例示的方法を図示する。
【００２１】
【図１０】図１０は、本開示のある実施形態による、スロットに等しい基準アップリンクリソース長さを用いてアップリンクリソースプリエンプションを示すための例示的方法を図示する。
【００２２】
【図１１】図１１は、本開示のある実施形態による、スロットに等しい基準アップリンクリソース長さを用いてアップリンクリソースプリエンプションを示すための別の例示的方法を図示する。
【００２３】
【図１２】図１２は、本開示のある実施形態による、ユーザのグループに関してアップリンクリソースプリエンプションを示すための例示的方法を図示する。
【００２４】
【図１３】図１３は、本開示のある実施形態による、アップリンクリソースプリエンプションを示すための例示的持続時間および基準アップリンクリソースを図示する。
【００２５】
【図１４】図１４は、本開示のある実施形態による、アップリンクリソースプリエンプションを示すための例示的アップリンクプリエンプションインジケータを図示する。
【００２６】
【図１５】図１５は、本開示のある実施形態による、アップリンクリソースプリエンプションを示すための別の例示的アップリンクプリエンプションインジケータを図示する。
【００２７】
【図１６】図１６は、本開示のある実施形態による、アップリンクリソースプリエンプションを示すためのさらに別の例示的アップリンクプリエンプションインジケータを図示する。
【発明を実施するための形態】
【００２８】
本開示の種々の例示的実施形態が、当業者が本開示を作製および使用することを可能にするために、付随の図を参照して、下記に説明される。当業者に明白であろうように、本開示の熟読後、本明細書に説明される実施例の種々の変更または修正が、本開示の範囲から逸脱することなく行われることができる。したがって、本開示は、本明細書に説明および例証される例示的実施形態および用途に限定されない。加えて、本明細書に開示される方法におけるステップの具体的順序および／または階層は、単に、例示的アプローチである。設計選好に基づいて、開示される方法またはプロセスのステップの具体的順序または階層は、本開示の範囲内に留まりながら再配列されることができる。したがって、当業者は、本明細書に開示される方法および技法が、サンプル順序における種々のステップまたは行為を提示し、本開示は、明確に別様に記載されない限り、提示される具体的順序または階層に限定されないことを理解するであろう。
【００２９】
典型的な無線通信ネットワークは、それぞれ、地理的無線カバレッジを提供する、１つ以上の基地局（典型的には、「ＢＳ」として公知である）と、無線カバレッジ内でデータを伝送および受信し得る、１つ以上の無線ユーザ機器デバイス（典型的には、「ＵＥ」として公知である）とを含む。無線通信ネットワークでは、ＢＳおよびＵＥは、通信リンクを介して、例えば、ＢＳからＵＥへのダウンリンク無線フレームを介して、またはＵＥからＢＳへのアップリンク無線フレームを介して相互に通信することができる。
【００３０】
通信ネットワークにおける異なる伝送時間間隔を伴うアップリンクサービスの伝送の間、より低い信頼性を伴うサービスは、より高い信頼性を伴うサービスによってプリエンプトされてもよく、より長い伝送時間間隔を伴うサービスは、より短い伝送時間間隔を伴うサービスによってプリエンプトされてもよい。アップリンク伝送における異なるＵＥは、プリエンプトされた伝送を認識しないため、高信頼性および低待ち時間を伴うサービスに対する性能影響を低減させるために、本開示は、アップリンクプリエンプションインジケーション情報を、そのアップリンク伝送がプリエンプトされるＵＥに通知するための方法を提供する。
【００３１】
例えば、ＢＳは、ある領域内のプリエンプトされたリソースを通知するために、プリエンプションインジケーション情報を伝送する。ＵＥは、プリエンプションインジケーション情報を受信し、プリエンプションインジケーション情報に基づいて、アップリンク伝送をキャンセルまたは停止またはパンクチャ処理する。プリエンプションインジケーション情報は、基準アップリンクリソース領域がプリエンプトされるかどうか、または基準アップリンクリソース領域内の各サブ領域がプリエンプトされるかどうかを示してもよい。基準アップリンクリソースに対応する周波数ドメインは、ＵＥのアクティブアップリンク帯域幅部分（ＢＷＰ）と称される一方、基準アップリンクリソースに対応する時間ドメインは、プリエンプションインジケーション情報が位置する、制御リソースセットの開始または終了シンボルからオフセットされる領域である。領域のオフセット値および長さは、事前定義される、上位層シグナリングを介して構成される、または動的に示されてもよい。サブ領域は、周波数ドメインのみによって、または時間ドメインのみによって、または時間−周波数ブロックによって、基準アップリンクリソースから分割されることができる。
【００３２】
ＵＥは、構成された監視周期に従って、プリエンプションインジケーション情報を検出する。一実施例では、プリエンプションインジケーションは、ＵＥ特有情報であり、ＵＥは、プリエンプションインジケーションを受信することに応じて、アップリンク伝送をキャンセルまたは停止する。別の実施例では、プリエンプションインジケーションは、グループ共通情報であり、ＵＥは、通知された基準アップリンクリソースがその独自のアップリンク伝送と対立するかどうかを決定し、対立が、存在する場合、アップリンク伝送をキャンセルまたは停止する。
【００３３】
種々の実施形態では、本開示におけるＢＳは、ネットワーク側と称され得、次世代Ｎｏｄｅ  Ｂ（ｇＮＢ）、Ｅ−ＵＴＲＡＮ  Ｎｏｄｅ  Ｂ（ｅＮＢ）、送受信ポイント（ＴＲＰ）、アクセスポイント（ＡＰ）等を含む、またはそれとして実装されることができる一方、本開示におけるＵＥは、端末と称され得、移動局（ＭＳ）、無線局（ＳＴＡ）等を含む、またはそれとして実装されることができる。ＢＳおよびＵＥは、それぞれ、「無線通信ノード」および「無線通信デバイス」の非限定的実施例として本明細書に説明され得、これは、本開示の種々の実施形態に従って、本明細書に開示される方法を実践することができ、無線および／または有線通信が可能であってもよい。
【００３４】
図１は、本開示のある実施形態による、本明細書に開示される技法が実装され得る、例示的通信ネットワーク１００を図示する。図１に示されるように、例示的通信ネットワーク１００は、基地局（ＢＳ）１０１と、複数のＵＥであるＵＥ１  １１０、ＵＥ２  １２０．．．ＵＥ３  １３０とを含み、ＢＳ１０１は、無線プロトコルに従ってＵＥと通信することができる。ＵＥ、例えば、ＵＥ１  １１０は、ＵＥからＢＳ１０１へのアップリンク伝送をスケジューリングされてもよい。すなわち、リソース領域が、後で実行されるべきアップリンク伝送のために予約される。アップリンク伝送は、物理アップリンク共有チャネル（ＰＵＳＣＨ）、物理アップリンク制御チャネル（ＰＵＣＣＨ）、サウンディング基準信号（ＳＲＳ）のうちの少なくとも１つに基づくデータ伝送であってもよい。
【００３５】
アップリンク伝送が実行される前、またはアップリンク伝送の間、ＢＳ１０１は、予約されたリソース領域と対立するプリエンプトされたリソース領域上でのアップリンク伝送プリエンプトをスケジューリングし得る。例えば、プリエンプトされたリソース領域は、少なくとも部分的に、予約されたリソース領域と重複する。この場合、ＵＥは、例えば、ＢＳ１０１からインジケーション情報を受信する。インジケーション情報は、予約されたリソース領域が少なくとも部分的にプリエンプトされることを示す。次いで、ＵＥは、予約されたリソース領域上の以前にスケジューリングされたアップリンク伝送をキャンセルまたは停止またはパンクチャ処理してもよい。
【００３６】
図２は、本開示のいくつかの実施形態による、基地局（ＢＳ）２００のブロック図を図示する。ＢＳ２００は、本明細書に説明される種々の方法を実装するように構成され得るデバイスの実施例である。図２に示されるように、ＢＳ２００は、システムクロック２０２と、プロセッサ２０４と、メモリ２０６と、送信機２１２および受信機２１４を備える送受信機２１０と、電力モジュール２０８と、制御情報発生器２２０と、インジケーション情報構成器２２２とを含有する、筐体２４０を含む。
【００３７】
本実施形態では、システムクロック２０２は、ＢＳ２００の全ての動作のタイミングを制御するために、タイミング信号をプロセッサ２０４に提供する。プロセッサ２０４は、ＢＳ２００の一般的動作を制御し、中央処理ユニット（ＣＰＵ）および／または汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態マシン、ゲーテッド論理、離散ハードウェアコンポーネント、専用ハードウェア有限状態マシン、またはデータの計算または他の操作を実施し得る任意の他の好適な回路、デバイス、および／または構造の任意の組み合わせ等の１つ以上の処理回路またはモジュールを含むことができる。
【００３８】
読取専用メモリ（ＲＯＭ）およびランダムアクセスメモリ（ＲＡＭ）の両方を含み得る、メモリ２０６は、命令およびデータをプロセッサ２０４に提供することができる。メモリ２０６の一部はまた、不揮発性ランダムアクセスメモリ（ＮＶＲＡＭ）を含むことができる。プロセッサ２０４は、典型的には、メモリ２０６内に記憶されるプログラム命令に基づいて、論理および算術演算を実施する。メモリ２０６内に記憶される命令（ソフトウェアとしても公知である）は、本明細書に説明される方法を実施するようにプロセッサ２０４によって実行されることができる。プロセッサ２０４およびメモリ２０６はともに、ソフトウェアを記憶および実行する処理システムを形成する。本明細書に使用されるように、「ソフトウェア」は、ソフトウェア、ファームウェア、ミドルウェア、マイクロコード等と称されるかどうかにかかわらず、１つ以上の所望の機能またはプロセスを実施するように機械またはデバイスを構成し得る、任意のタイプの命令を意味する。命令は、コード（例えば、ソードコードフォーマット、バイナリコードフォーマット、実行可能コードフォーマット、またはコードの任意の他の好適なフォーマットにおける）を含むことができる。命令は、１つ以上のプロセッサによって実行されると、処理システムに本明細書に説明される種々の機能を実施させる。
【００３９】
送信機２１２および受信機２１４を含む、送受信機２１０は、ＢＳ２００が、遠隔デバイス（例えば、ＢＳまたは別のＵＥ）に、およびそれからデータを伝送および受信することを可能にする。アンテナ２５０が、典型的には、筐体２４０に取り付けられ、送受信機２１０に電気的に結合される。種々の実施形態では、ＢＳ２００は、（図示せず）複数の送信機と、複数の受信機と、複数の送受信機とを含む。一実施形態では、アンテナ２５０は、そのそれぞれが明確に異なる方向を向く複数のビームを形成し得る、マルチアンテナアレイ２５０と置換される。送信機２１２は、異なるパケットタイプまたは機能を有するパケットを無線で伝送するように構成されることができ、そのようなパケットは、プロセッサ２０４によって発生される。同様に、受信機２１４は、異なるパケットタイプまたは機能を有するパケットを受信するように構成され、プロセッサ２０４は、複数の異なるパケットタイプのパケットを処理するように構成される。例えば、プロセッサ２０４は、パケットのタイプを決定し、それに応じて、パケットおよび／またはパケットのフィールドを処理するように構成されることができる。
【００４０】
無線通信では、ＢＳ２００は、端末またはＵＥからＢＳ２００へのアップリンク伝送をスケジューリングしてもよい。例えば、制御情報発生器２２０は、アップリンクデータ伝送をスケジューリングするために、制御情報、例えば、アップリンク（ＵＬ）グラントを発生させてもよい。制御情報発生器２２０は、送信機２１２を介して、アップリンク伝送を実行するであろうＵＥに制御情報を伝送することができる。制御情報は、ＵＥによってスケジューリングされたアップリンク伝送のために使用されるべきリソースを示してもよい。制御情報に基づいて、ＵＥは、制御情報を受信した後、ある時間、例えば、１つのスロットにおいてアップリンク伝送を実行するようにスケジューリングされる。
【００４１】
一実施形態では、ＵＥが、アップリンク伝送を実行するためのスケジューリングされた時間を待機している間、またはＵＥが、アップリンク伝送を実行している間、制御情報発生器２２０は、プリエンプトされたリソース領域上でのアップリンク伝送プリエンプトをスケジューリングするために、付加的制御情報を発生させてもよい。アップリンク伝送プリエンプトは、元々スケジューリングされたアップリンク伝送よりも低い待ち時間および／または高い信頼性を有してもよい。一実施形態では、アップリンク伝送プリエンプトは、超高信頼性および低待ち時間通信（ＵＲＬＬＣ）アップリンクサービスに関する一方、元々スケジューリングされたアップリンク伝送は、拡張モバイルブロードバンド（ｅＭＢＢ）アップリンクサービスに関する。制御情報発生器２２０は、送信機２１２を介して、アップリンク伝送プリエンプトを実行するであろうＵＥに付加的制御情報を伝送することができる。アップリンク伝送プリエンプトは、元々スケジューリングされたアップリンク伝送のものと同一のＵＥのためにスケジューリングされる場合とそうではない場合がある。この場合のプリエンプトされたリソース領域は、アップリンク伝送プリエンプトのために使用されるためにプリエンプトされ、したがって、プリエンプトされたリソース領域上、またはプリエンプトされたリソース領域と対立するリソース領域上でスケジューリングまたは構成された他のアップリンク伝送をキャンセルまたは停止することが、望ましい。したがって、制御情報発生器２２０は、付加的制御情報の発生についてインジケーション情報構成器２２２に通知し、アップリンク伝送プリエンプトに関するプリエンプションインジケーションを構成するようにインジケーション情報構成器２２２に命令することができる。
【００４２】
本実施例におけるインジケーション情報構成器２２２は、制御情報発生器２２０から、プリエンプトされたリソース領域上のアップリンク伝送プリエンプトに関する制御情報が発生されている通知を受信してもよい。したがって、インジケーション情報構成器２２２は、第１のリソース領域、すなわち、プリエンプトされたリソース領域が少なくとも部分的にプリエンプトされることを示すようにインジケーション情報を構成する。インジケーション情報構成器２２２は、送信機２１２を介して、インジケーション情報を、例えば、ＵＥまたはＵＥのグループに伝送することができる。インジケーション情報に基づいて、インジケーション情報を受信する各ＵＥは、第１のリソース領域上のアップリンク伝送をキャンセルまたは停止またはパンクチャ処理するであろう。アップリンク伝送は、ＰＵＳＣＨ、ＰＵＣＣＨ、およびＳＲＳのうちの少なくとも１つに基づくデータ伝送であってもよい。一実施形態では、アップリンク伝送は、第１のリソース領域と対立する第２のリソース領域上でスケジューリングまたは構成された。
【００４３】
本開示の一実施形態では、第１のリソース領域は、第１のリソース領域のオフセット値および第１のリソース領域の長さのうちの少なくとも１つに基づいて決定される。オフセット値は、インジケーション情報が位置する、制御リソースセットの開始または終了シンボルからオフセットされるシンボルまたはスロットの数を表し、固定値、上位層シグナリングによって構成される値、およびインジケーション情報内に含まれる値のうちの少なくとも１つに基づいて決定される。長さは、固定値、上位層シグナリングによって構成される値、およびインジケーション情報内に含まれる値のうちの少なくとも１つに基づいて決定される。上位層シグナリングによって構成される値は、インジケーション情報の監視周期の整数倍である。
【００４４】
本開示の一実施形態では、第１のリソース領域は、アップリンク伝送プリエンプトによって少なくとも部分的にプリエンプトされる。オフセット値は、アップリンク伝送プリエンプトのスケジューリング遅延よりも大きくない。アップリンク伝送プリエンプトのスケジューリング遅延は、インジケーション情報の処理遅延ならびに処理遅延およびタイミングアドバンス（ＴＡ）の合計のうちの少なくとも１つよりも小さくない。ＴＡは、ＵＥのＴＡならびにＵＥのグループの最大ＴＡのうちの少なくとも１つである。
【００４５】
本開示の一実施形態では、インジケーション情報は、第１の量のビットであって、そのそれぞれが、第１の量の監視周期を含む第１のリソース領域内の対応する監視周期がプリエンプトされるかどうかを示す、第１の量のビット、および第２の量のビットであって、そのそれぞれが、第２の量のＵＥのグループのうちの対応するものからのアップリンク伝送がプリエンプトされるかどうかを示す、第２の量のビットのうちの少なくとも１つを含む。
【００４６】
電力モジュール２０８は、１つ以上のバッテリ等の電源と、電力調整器とを含み、調整された電力を図２の上記に説明されるモジュールのそれぞれに提供することができる。いくつかの実施形態では、ＢＳ２００が、専用外部電源（例えば、壁電気コンセント）に結合される場合、電力モジュール２０８は、変圧器と、電力調整器とを含むことができる。
【００４７】
上記に議論される種々のモジュールは、バスシステム２３０によってともに結合される。バスシステム２３０は、データバス、および、例えば、データバスに加えて、電力バス、制御信号バス、および／またはステータス信号バスを含むことができる。ＢＳ２００のモジュールは、任意の好適な技法および媒体を使用して相互に動作可能に結合され得ることを理解されたい。
【００４８】
いくつかの別個のモジュールまたはコンポーネントが、図２に図示されるが、当業者は、モジュールのうちの１つ以上のものが組み合わせられる、または一般的に実装され得ることを理解するであろう。例えば、プロセッサ２０４は、プロセッサ２０４に関して上記に説明される機能性のみを実装するのではなく、また、インジケーション情報構成器２２２に関して上記に説明される機能性を実装することができる。逆に、図２に図示されるモジュールはそれぞれ、複数の別個のコンポーネントまたは要素を使用して実装されることができる。
【００４９】
図３は、本開示のいくつかの実施形態による、無線通信においてアップリンク伝送リソースをプリエンプトするために、ＢＳ、例えば、図２のＢＳ２００によって実施される方法３００に関するフローチャートを図示する。動作３０２において、ＢＳは、アップリンク伝送のための制御情報を発生させる。動作３０４において、ＢＳは、制御情報を、例えば、ＵＥまたはＵＥのグループに伝送する。動作３０６において、ＢＳは、第１のリソース領域が少なくとも部分的にプリエンプトされることを示すインジケーション情報を決定する。動作３０８において、ＢＳは、インジケーション情報を、例えば、ＵＥまたはＵＥのグループに伝送する。
【００５０】
図４は、本開示のいくつかの実施形態による、ＵＥ４００のブロック図を図示する。ＵＥ４００は、本明細書に説明される種々の方法を実装するように構成され得るデバイスの実施例である。図４に示されるように、ＵＥ４００は、システムクロック４０２と、プロセッサ４０４と、メモリ４０６と、送信機４１２および受信機４１４を備える送受信機４１０と、電力モジュール４０８と、インジケーション情報検出器４２０と、インジケーション情報分析器４２２と、アップリンク伝送スケジューラ４２４と、アップリンク伝送実行器４２６とを含有する、筐体４４０を含む。
【００５１】
本実施形態では、システムクロック４０２、プロセッサ４０４、メモリ４０６、送受信機４１０、および電力モジュール４０８は、ＢＳ２００におけるシステムクロック２０２、プロセッサ２０４、メモリ２０６、送受信機２１０、および電力モジュール２０８と同様に機能する。アンテナ４５０またはマルチアンテナアレイ４５０が、典型的には、筐体４４０に取り付けられ、送受信機４１０に電気的に結合される。
【００５２】
本実施例におけるインジケーション情報検出器４２０は、ＢＳによって伝送される制御情報およびインジケーション情報を検出してもよい。一実施形態では、インジケーション情報検出器４２０は、ＢＳが、例えば、スロットまたはミニスロットであり得る、監視周期に従ってインジケーション情報を伝送しているかどうかを検出する。一実施形態では、インジケーション情報検出器４２０は、ＢＳから受信された制御信号、例えば、ＵＬグラントに応答して、インジケーション情報を検出し始める。制御情報を検出した後、インジケーション情報検出器４２０は、アップリンク伝送をスケジューリングするために、制御情報をアップリンク伝送スケジューラ４２４に転送してもよい。インジケーション情報を検出した後、インジケーション情報検出器４２０は、インジケーション情報を分析するために、インジケーション情報をインジケーション情報分析器４２２に転送してもよい。インジケーション情報の分析に基づいて、インジケーション情報が、スロット内のアップリンクリソース領域のプリエンプションを示すとき、インジケーション情報検出器４２０は、次のＵＬグラントが受信されるまで、またはスロットの後のリソース領域を示す後続インジケーション情報まで、後続インジケーション情報の検出を停止してもよい。本実施例におけるインジケーション情報検出器４２０は、受信機４１４を介して、第１のリソース領域が少なくとも部分的にプリエンプトされることを示すインジケーション情報を受信し、分析のためにインジケーション情報をインジケーション情報分析器４２２に転送する。
【００５３】
本実施例におけるインジケーション情報分析器４２２は、インジケーション情報を分析する。分析に基づいて、インジケーション情報分析器４２２は、第１のリソース領域のオフセット値および第１のリソース領域の長さのうちの少なくとも１つに基づいて、第１のリソース領域を識別することができる。一実施形態では、オフセット値は、インジケーション情報が位置する、制御リソースセットの開始または終了シンボルからオフセットされるシンボルまたはスロットの数を表し、固定値、上位層シグナリングによって構成される値、およびインジケーション情報内に含まれる値のうちの少なくとも１つに基づいて決定される。長さは、固定値、上位層シグナリングによって構成される値、およびインジケーション情報内に含まれる値のうちの少なくとも１つに基づいて決定される。上位層シグナリングによって構成される値は、インジケーション情報の監視周期の整数倍である。
【００５４】
本開示の一実施形態では、第１のリソース領域は、アップリンク伝送プリエンプトによって少なくとも部分的にプリエンプトされる。オフセット値は、アップリンク伝送プリエンプトのスケジューリング遅延よりも大きくない。アップリンク伝送プリエンプトのスケジューリング遅延は、インジケーション情報の処理遅延ならびに処理遅延およびＴＡの合計のうちの少なくとも１つよりも小さくない。ＴＡは、ＵＥ４００のＴＡならびにＵＥ４００を含むＵＥのグループの最大ＴＡのうちの少なくとも１つである。
【００５５】
本開示の一実施形態では、インジケーション情報は、第１の量のビットであって、そのそれぞれが、第１の量の監視周期を含む第１のリソース領域内の対応する監視周期がプリエンプトされるかどうかを示す、第１の量のビット、および第２の量のビットであって、そのそれぞれが、第２の量のＵＥのグループのうちの対応するものからのアップリンク伝送がプリエンプトされるかどうかを示す、第２の量のビットのうちの少なくとも１つを含む。
【００５６】
インジケーション情報分析器４２２は、アップリンク伝送が第１のリソース領域と対立する第２のリソース領域上でＵＥ４００のためにスケジューリングまたは構成されたかどうかを決定してもよい。該当する場合、インジケーション情報分析器４２２は、アップリンク伝送が、実行される前にアップリンク伝送をキャンセルするようにアップリンク伝送スケジューラ４２４に通知する、またはその実行の間にアップリンク伝送の実行を停止するようにアップリンク伝送実行器４２６に通知してもよい。
【００５７】
本実施例におけるアップリンク伝送スケジューラ４２４は、インジケーション情報に基づいて決定された、インジケーション情報分析器４２２からの命令を受信してもよい。命令に従って、アップリンク伝送スケジューラ４２４は、インジケーション情報に基づいてプリエンプトされるリソース上で以前にスケジューリングされたアップリンク伝送をキャンセルしてもよい。アップリンク伝送は、ＰＵＳＣＨ、ＰＵＣＣＨ、およびＳＲＳのうちの少なくとも１つに基づくデータ伝送であってもよい。一実施形態では、アップリンク伝送は、第１のリソース領域と対立する第２のリソース領域上でスケジューリングまたは構成された。
【００５８】
一実施形態では、アップリンク伝送スケジューラ４２４は、第１のリソース領域と第２のリソース領域との間の対立に応答して、アップリンク伝送をキャンセルしてもよい。別の実施形態では、アップリンク伝送スケジューラ４２４は、第１のリソース領域と第２のリソース領域との間の対立が存在するかどうかにかかわらず、アップリンク伝送をキャンセルしてもよい。さらに別の実施形態では、アップリンク伝送スケジューラ４２４は、第１のリソース領域が位置するスロット全体におけるアップリンク伝送をキャンセルしてもよい。
【００５９】
一実施形態では、アップリンク伝送は、複数のスロットを含む第２のリソース領域上でスロットアグリゲーションの様式で伝送されるようにスケジューリングされた。複数のスロットは、少なくとも１つのプリエンプトされたスロットを含む。この場合では、アップリンク伝送スケジューラ４２４は、スロットアグリゲーションに従って、少なくとも１つのプリエンプトされたスロット内にスケジューリングされた第１の冗長バージョンを決定し、少なくとも１つのプリエンプトされたスロットの後に伝送する冗長バージョンを決定するために、第１の冗長バージョンに関連する情報をアップリンク伝送実行器４２６に転送してもよい。
【００６０】
本実施例におけるアップリンク伝送実行器４２６は、アップリンク伝送スケジューラ４２４のスケジューリングまたはインジケーション情報分析器４２２によって分析されたインジケーション情報に従って、アップリンク伝送を実行、停止、またはパンクチャ処理することができる。一実施形態では、アップリンク伝送実行器４２６は、インジケーション情報に基づいて、アップリンク伝送を停止またはパンクチャ処理する。
【００６１】
一実施形態では、アップリンク伝送実行器４２６は、第１のリソース領域と第２のリソース領域との間の対立に応答して、アップリンク伝送を停止またはパンクチャ処理してもよい。別の実施形態では、アップリンク伝送実行器４２６は、第１のリソース領域と第２のリソース領域との間の対立が存在するかどうかにかかわらず、アップリンク伝送を停止またはパンクチャ処理してもよい。さらに別の実施形態では、アップリンク伝送実行器４２６は、第１のリソース領域が位置するスロット全体におけるアップリンク伝送を停止またはパンクチャ処理してもよい。なおも別の実施形態では、アップリンク伝送実行器４２６は、アップリンク伝送とのいかなる対立も有していないプリエンプトされたリソース領域を示す後続インジケーション情報に応答して、スロット内のアップリンク伝送を再開してもよい。
【００６２】
一実施形態では、アップリンク伝送は、複数のスロットを含む第２のリソース領域上でスロットアグリゲーションの様式で伝送されるようにスケジューリングされた。複数のスロットは、少なくとも１つのプリエンプトされたスロットを含む。この場合では、アップリンク伝送実行器４２６は、アップリンク伝送スケジューラ４２４から、スロットアグリゲーションに従って、少なくとも１つのプリエンプトされたスロット内にスケジューリングされた第１の冗長バージョンを受信してもよい。一実施例では、アップリンク伝送実行器４２６は、第１の冗長バージョンが冗長バージョン０（ＲＶ０）であることに基づいて、少なくとも１つのプリエンプトされたスロットの後に第１の冗長バージョンを伝送してもよい。別の実施例では、アップリンク伝送実行器４２６は、オリジナル冗長バージョンパターンに基づいて、少なくとも１つのプリエンプトされたスロットの後に第２の冗長バージョンを伝送してもよい。
【００６３】
上記に議論される種々のモジュールは、バスシステム４３０によってともに結合される。バスシステム４３０は、データバス、および、例えば、データバスに加えて、電力バス、制御信号バス、および／またはステータス信号バスを含むことができる。ＵＥ４００のモジュールは、任意の好適な技法および媒体を使用して相互に動作可能に結合され得ることを理解されたい。
【００６４】
いくつかの別個のモジュールまたはコンポーネントが、図４に図示されるが、当業者は、モジュールのうちの１つ以上のものが組み合わせられる、または一般的に実装され得ることを理解するであろう。例えば、プロセッサ４０４は、プロセッサ４０４に関して上記に説明される機能性のみを実装するのではなく、また、インジケーション情報分析器４２２に関して上記に説明される機能性を実装することができる。逆に、図４に図示されるモジュールはそれぞれ、複数の別個のコンポーネントまたは要素を使用して実装されることができる。
【００６５】
図５は、本開示のいくつかの実施形態による、無線通信においてアップリンク伝送リソースをプリエンプトするためにＵＥ、例えば、図４のＵＥ４００によって実施される方法５００に関するフローチャートを図示する。動作５０２において、ＵＥは、監視周期に従ってインジケーション情報を検出する。随意に、動作５０４において、ＵＥは、第１のリソース領域が少なくとも部分的にプリエンプトされることを示す、検出されたインジケーション情報を分析する。動作５０６において、ＵＥは、インジケーション情報に基づいて、アップリンク伝送をキャンセルまたは停止またはパンクチャ処理する。随意に、動作５０８において、ＵＥは、次のアップリンクグラントまたは次のスロットまで、後続インジケーション情報の検出を停止する。
【００６６】
本開示の異なる実施形態が、ここで、それ以降で詳細に説明されるであろう。本開示における実施形態および実施例の特徴は、矛盾することなく任意の様式で相互に組み合わせられ得ることに留意されたい。
【００６７】
本開示の種々の実施形態によると、ＢＳは、ある領域内のプリエンプトされたリソースを通知するために、プリエンプションインジケーション情報を送信する。端末またはＵＥは、プリエンプションインジケーション情報を受信し、プリエンプションインジケーション情報に従って、アップリンク伝送をキャンセルまたは停止する。一実施例では、ＢＳは、拡張モバイルブロードバンド（ｅＭＢＢ）アップリンクサービスに配分されているリソースをプリエンプトするために、超高信頼性および低待ち時間通信（ＵＲＬＬＣ）アップリンクサービスによって使用されるリソースをスケジューリングする。ＢＳは、プリエンプションインジケーション情報を送信し、アップリンクサービスの伝送をキャンセルまたは停止するように、そのリソースがプリエンプトされる端末に通知する。一実施形態では、ＵＲＬＬＣサービス持続時間は、ｅＭＢＢサービス持続時間を上回らない。一実施形態では、アップリンク（ＵＬ）プリエンプションインジケーション（ＰＩ）が実行され得る条件は、ＰＩ処理遅延が最小ＵＲＬＬＣアップリンクスケジューリング遅延を下回る、またはＰＩ処理遅延および１つのＵＥのタイムアドバンス（ＴＡ）またはＵＥのグループの最大ＴＡの合計が最小ＵＲＬＬＣアップリンクスケジューリング遅延を下回る、またはそれに等しいことである。
【００６８】
プリエンプションインジケーション情報は、構成された基準アップリンクリソース領域を示し、基準アップリンクリソース領域、またはサブ領域がある粒度に従って分割される、基準アップリンクリソース領域の任意のサブ領域内にＵＲＬＬＣ伝送が存在するかどうかを示してもよい。プリエンプションインジケーション情報は、基準アップリンクリソース領域の範囲を示してもよい。基準アップリンクリソース領域に対応する周波数ドメインは、端末のアクティブＵＬ帯域幅部分（ＢＷＰ）と称される。基準アップリンクリソース領域に対応する時間ドメインは、現在のプリエンプションインジケーション情報が位置する、制御リソースセットの開始または終了シンボルの後の領域であり、そのオフセット値および長さは、事前定義される、または上位層シグナリングを介して構成される、または動的に示される。サブ領域は、周波数ドメインのみによって、または時間ドメインのみによって、または時間−周波数ブロックによって、基準アップリンクリソースから分割されることができる。
【００６９】
ユーザまたはＵＥは、構成された監視周期に従って、プリエンプション情報を検出する。プリエンプション情報を受信した後、ＵＥは、アップリンクサービスの伝送をキャンセルする、またはその伝送を停止する。プリエンプション情報がＵＥ特有情報である場合では、伝送は、これが、受信されると、キャンセルまたは停止される。プリエンプション情報がグループ共通情報である場合では、ＵＥは、通知された基準アップリンクリソースがその独自のアップリンク伝送と対立するかどうかを決定し、対立が、存在する場合、アップリンク伝送をキャンセルまたは停止する。以下の実施形態では、プリエンプションは、単に、実施例として、ｅＭＢＢのリソースをプリエンプトする短いサービス持続時間を伴うＵＲＬＬＣに基づいて与えられる。同一の方法は、他のアップリンクリソースプリエンプションに適用されることができる。ＵＥのリソースが、プリエンプトされるとき、ＵＥは、そのリソース、例えば、サービスのオブジェクト、タイプ、および持続時間をプリエンプトするサービスについての情報を把握する必要はない。
【００７０】
第１の実施形態では、基地局は、ｅＭＢＢアップリンクサービスに配分されているリソースをプリエンプトするために、短い持続時間を伴うＵＲＬＬＣアップリンクサービスによって使用されるリソースをスケジューリングする。ＢＳは、プリエンプションインジケーション情報を送信し、アップリンクサービスの伝送をキャンセルまたは停止するように、そのリソースがプリエンプトされる端末に通知する。ＵＲＬＬＣアップリンクサービス使用の長さは、２または４または７シンボルである。ＵＲＬＬＣアップリンクスケジューリング時間間隔は、ｎ＋ｋ１ミニスロットまたはシンボル（例えば、ＯＦＤＭシンボルまたはＳＣ−ＦＤＭＡシンボル）であり、ｋ１は、０を上回る、またはそれに等しい整数である。ｅＭＢＢアップリンクスケジューリング間隔は、ｎ＋ｋ２スロットであり、ｋ２は、０を上回る、またはそれに等しい整数である。
【００７１】
プリエンプションインジケーション情報は、構成された基準アップリンクリソース領域を示し、基準アップリンクリソース領域、またはサブ領域がある粒度に従って分割される、基準アップリンクリソース領域の任意のサブ領域内にＵＲＬＬＣ伝送が存在するかどうかを示してもよい。基準アップリンクリソース領域に対応する周波数ドメインは、端末のアクティブＵＬ帯域幅部分（ＢＷＰ）と称される。基準アップリンクリソース領域に対応する時間ドメインは、現在のプリエンプションインジケーション情報が位置する、制御リソースセットの開始または終了シンボルの後の領域であり、そのオフセット値および長さは、事前定義される、または上位層シグナリングを介して構成される。
【００７２】
ＰＩによって示される基準アップリンクリソースに関して、オフセット値は、固定値または構成された値、例えば、４シンボル、または７シンボル、または監視周期のｍ倍であり、ｍは、正の整数であり、長さは、固定値または構成された値、例えば、監視周期のｎ倍に等しく、ｎは、正の整数である。
【００７３】
ＰＩによって示されるコンテンツは、以下のもの、すなわち、Ｘ監視周期を含有する基準アップリンクリソース（ＲＵＲ）内の各監視周期がプリエンプトされるかどうかを示すためのＸビット、ＲＵＲがプリエンプトされるかどうか、すなわち、ＵＲＬＬＣ伝送が存在するかどうかを示すために使用される１ビット、Ｎ個のＵＥを含むユーザグループ内で、各ＵＥが伝送をキャンセルまたは停止する必要があるかどうかを示すために使用されるＮビット、Ｘ監視周期を含有するＲＵＲ内の各監視周期内の第１の半分
【化１】
2021520135.tif 000003
および第２の半分
【化２】
2021520135.tif 000004
の物理リソースブロック（ＰＲＢ）がプリエンプトされるかどうかを示すために使用される２Ｘビットであって、
【化３】
2021520135.tif 000005
は、アクティブＵＬ  ＢＷＰ内に含まれるＰＲＢの数である、２Ｘビット、ＲＵＲのＸ周波数ドメイン部分のそれぞれ（ＲＵＲのＰＲＢは、Ｘ個の部分に分割される）がプリエンプトされるかどうかを示すために使用されるＸビット、Ｘ監視周期を含有するＲＵＲ内の各監視周期内の第１の半分
【化４】
2021520135.tif 000006
および第２の半分
【化５】
2021520135.tif 000007
のシンボルがプリエンプトされるかどうかを示すために使用される２Ｘビットであって、
【化６】
2021520135.tif 000008
は、ＲＵＲ内に含まれる有効なシンボルの数である、２Ｘビット、ＲＵＲのＸ時間ドメイン部分のそれぞれ（ＲＵＲのＯＦＤＭまたはＳＣ−ＦＤＭＡシンボルは、Ｘ個の部分に分割される）がプリエンプトされるかどうかを示すために使用されるＸビット、ＲＵＲ内の１４個のリソースサブブロックがプリエンプトされるかどうかを示すために使用される１４ビットのうちの少なくとも１つを含む。１４個のリソースサブブロックは、上位層シグナリング構成に従って、１４×１または７×２の様式で分割されるＲＵＲリソースである。上記の説明は、単一キャリアプリエンプションインジケーションに関する。複数キャリアが、使用されるとき、各キャリアは、独立して示される。
【００７４】
プリエンプションインジケーション情報は、ユーザグループ内の各ユーザがアップリンク伝送に関してプリエンプトされるかどうかを示す。例えば、ユーザの構成されたセットでは、Ｎビットが、Ｎ人のユーザがそれぞれ、アップリンク伝送に関してプリエンプトされるかどうか、すなわち、スケジューリングされたアップリンク伝送が、キャンセルまたは停止される必要があるかどうかを示すために使用される。別の実施例では、ユーザの構成されたセットでは、Ｙ×Ｎビットが、Ｎ人のユーザがそれぞれ、アップリンク伝送に関してプリエンプトされるかどうか、およびＵＥに関して、スケジューリングされたアップリンク伝送が、Ｙ個の部分のそれぞれの中でキャンセルまたは停止またはパンクチャ処理される必要があるかどうかを示すために使用され、ＵＬ  ＢＷＰまたはＰＵＳＣＨの周波数範囲は、Ｙ個の部分に分割される、またはＰＵＳＣＨまたはスロットの時間ドメインは、Ｙ個の部分に分割される。
【００７５】
ＰＩによって示されるＲＵＲおよびＰＩによって示されるコンテンツは、相互に組み合わせられることができる。図６は、アップリンクリソースプリエンプションを示すための例示的方法を図示する。本実施例では、構成された監視周期は、２シンボルまたは２シンボルの長さを伴うミニスロットである。時間ドメイン内の基準アップリンクリソース６４１の長さは、構成されたＰＩ監視周期に等しい。オフセット値は、構成されたＰＩ監視周期の２倍である。すなわち、オフセット値は、ＰＩが位置する、制御リソースセットの開始シンボルの後の第４のシンボルに対する。ＰＩ処理遅延およびＴＡの合計が、３．５シンボルであり、ＵＲＬＬＣアップリンクスケジューリングタイミングが、４シンボルであると想定する。次いで、オフセット値は、４シンボルをとり、ＵＬ  ＰＩを実行するための条件が、満たされる。図６に示されるように、ＰＩ６３１が、ミニスロット＃ｎ内の第１のシンボルに位置すると仮定すると、示されるＲＵＲ６４１は、ミニスロット＃ｎ＋２内にある。本実施例では、Ｘビットが、Ｘ監視周期を含むＲＵＲ内の各監視周期内にＵＲＬＬＣサービスが存在するかどうかを示すために使用される。すなわち、１ビットが、１つの監視周期を含むＲＵＲがプリエンプトされるかどうか、例えば、ＵＲＬＬＣが存在するかどうかを示すために使用される。別の実施例では、Ｎビットが、Ｎ人のユーザがそれぞれ、アップリンク伝送に関してプリエンプトされるかどうかを示すために使用され、各ＵＥは、スケジューリングされたアップリンク伝送が、ＰＩを受信した後にキャンセルまたは停止される必要があるかどうかを決定することができる。ＵＥに関して、Ｎビットにおけるビットインデックスは、無線リソース制御（ＲＲＣ）によって制御されることができる。別の実施例では、ＰＩを受信した後、ＵＥは、プリエンプトされる場合、ＰＵＳＣＨをキャンセルするであろう、またはＵＥは、プリエンプトされ、さらにプリエンプトされる場合、ＰＳＵＣＨを停止するであろう。アップリンク伝送は、再開されてもよい（すなわち、プリエンプトされる部分は、もはや送信されない一方、プリエンプトされない部分を送信し続ける）、または遅延されてもよい（すなわち、プリエンプトされる部分は、伝送のためのプリエンプトされないリソースに遅延され、これは、データの最後の部分が常時プリエンプトされることを意味する）。
【００７６】
本実施例では、制御情報６１０は、リソース領域６２０内のＵＥに関するアップリンク伝送をスケジューリングする。ＵＥは、監視周期に従って、ＰＩ検出６３０を実施する。ＵＲＬＬＣサービスの各制御情報６１１、６１２、６１３は、それぞれ、リソース領域６２１、６２２、６２３内の対応するＲＵＲを示す。各ＰＩ６３１、６３２、６３３は、ＰＩ伝送時間と同一の時間およびその前に伝送された制御情報、例えば、ＵＬグラントに従ってスケジューリングされたＵＲＬＬＣサービスのみを示すことができる。例えば、ＰＩ６３１は、制御情報６１２、６１３に従ってスケジューリングされたＵＲＬＬＣサービスではなく、制御情報６１１に従ってスケジューリングされたＵＲＬＬＣサービスのみを示すことができる。
【００７７】
図７は、アップリンクリソースプリエンプションを示すための別の例示的方法を図示する。本実施例では、構成された監視周期は、２シンボルまたは２シンボルの長さを伴うミニスロットである。時間ドメインにおける基準アップリンクリソースの長さは、構成されたＰＩ監視周期の３倍であり、オフセット値は、構成されたＰＩ監視周期の２倍である。図７に示されるように、ＰＩ７３１、７３２が、ミニスロット＃ｎ内の第１のシンボルに位置すると仮定すると、示されるＲＵＲ７４１、７４２は、ミニスロット＃ｎ＋２〜＃ｎ＋４である。本実施例では、Ｘビットが、Ｘ監視周期を含むＲＵＲ内の各監視周期がプリエンプトされるかどうか、例えば、ＵＲＬＬＣサービスが存在するかどうかを示すために使用される。すなわち、３ビットが、ＲＵＲ内の各監視周期内にＵＲＬＬＣが存在するかどうかを示すために使用される。２つのＰＩが、一貫しないとき、後で受信されるＰＩが、優先されるであろう。
【００７８】
本実施例では、制御情報７１０は、リソース領域７２０内のＵＥに関するアップリンク伝送をスケジューリングする。ＵＥは、監視周期に従って、ＰＩ検出７３０を実施する。ＵＲＬＬＣサービスの各制御情報７１１、７１２、７１３は、それぞれ、リソース領域７２１、７２２、７２３内の対応するＲＵＲを示す。各ＰＩ７３１、７３２、７３３、７３４、７３５は、ＰＩ伝送時間と同一の時間およびその前に伝送された制御情報、例えば、ＵＬグラントに従ってスケジューリングされたＵＲＬＬＣサービスのみを示すことができる。例えば、ＰＩ７３１は、制御情報７１２、７１３に従ってスケジューリングされたＵＲＬＬＣサービスではなく、制御情報７１１に従ってスケジューリングされたＵＲＬＬＣサービスのみを示すことができる。したがって、リソース領域７２２もまた、後の制御信号７１２に基づいてプリエンプトされるが、ＰＩ７３１は、１００を含む。
【００７９】
ユーザまたはＵＥは、構成された監視周期に従って、プリエンプション情報を検出する。プリエンプション情報を受信した後、ユーザは、アップリンクサービスの伝送をキャンセルする、またはその伝送を停止する。随意に、ＵＬ  ＰＩ監視の構成に関して、ユーザは、ＵＬグラントを受信した後に受信されたＰＩを検出し始め、ＵＬグラントが、受信されないとき、ＵＬ  ＰＩを監視する必要はない。随意に、ＰＩインジケーションを受信するＲＵＲが、ＵＲＬＬＣを有する場合、ＲＵＲに対応するスロット内のＰＵＳＣＨ下の伝送は、キャンセルまたは停止されると見なされる。さらに、スロット内のＲＵＲ後にＲＵＲを示すＰＩを監視または受信することは、必要ではない。すなわち、いかなる他のアップリンク伝送も、いかなる対立も存在しない場合であっても、後続ＲＵＲ内でデフォルトによってスケジューリングされない。一実施例では、受信された後続ＰＩが、いかなる対立も示さない、またはいかなる後続ＰＩも、受信されないとき、デフォルトによるアップリンク伝送は、再開されない。別の実施例では、受信された後続ＰＩが、いかなる対立も示さないとき、ＰＵＳＣＨ上のアップリンク伝送は、対立を伴わずにＲＵＲ内で継続する。
【００８０】
一実施形態では、受信されたインジケーション情報が、これがプリエンプトされるかどうかを示すために１ビットを使用するとき、アップリンク伝送は、キャンセルまたは停止され、受信されたインジケーション情報が、基準アップリンクリソース領域内のリソースの一部がプリエンプトされることを示すために１を上回るビットを使用するとき、基準アップリンクリソース領域のプリエンプトされる部分上のアップリンク伝送は、キャンセルまたは停止され、基準アップリンクリソース領域の残りのプリエンプトされない部分上のアップリンク伝送は、依然として送信されていてもよい。アップリンク伝送は、再開されてもよい（すなわち、プリエンプトされる部分は、もはや送信されない一方、プリエンプトされない部分を送信し続ける）、または遅延されてもよい（すなわち、プリエンプトされる部分は、伝送のためのプリエンプトされないリソースに遅延され、これは、データの最後の部分が常時プリエンプトされることを意味する）。別の実施例では、受信されたインジケーション情報が、これがプリエンプトされるかどうかを示すために１ビットを使用するとき、アップリンク伝送は、停止され、ＰＩによって示されるＲＵＲ後に再開される。別の実施例では、受信されたインジケーション情報が、これがプリエンプトされるかどうかを示すために１ビットを使用するとき、アップリンク伝送は、停止され、ＰＩによって示されるＲＵＲ後に遅延される。
【００８１】
プリエンプション情報が、ＵＥ特有情報であるとき、伝送は、これが、受信されると、キャンセルまたは停止される。プリエンプション情報が、グループ共通情報であるとき、ＵＥは、プリエンプションインジケーションの通知されたリソース範囲がその独自のアップリンクサービスと対立するかどうかを決定し、伝送は、対立が、存在する場合、キャンセルまたは停止される。一実施例では、いったんＰＩインジケーションが、ＵＬグラント後に検出されると、対立が存在するかどうかにかかわらず、オリジナルアップリンク伝送は、キャンセルまたは停止される。別の実施例では、いったんＰＩインジケーションが、ＵＬグラント後に検出され、スケジューリングされたアップリンクサービスとの対立が、存在すると、オリジナルアップリンク伝送は、キャンセルまたは停止され、次のＵＬグラントが受信されるまで、または次のスロットまで、再開しない。次のＵＬグラントが受信されるまで、または次のスロットまで、ＰＩを監視または受信するいかなる必要性も、存在しない。
【００８２】
一実施形態では、ＵＬ  ＰＩが機能する条件は、ＰＩ処理の遅延がＵＲＬＬＣのアップリンクスケジューリング遅延未満であることであり、機能は、条件が、満たされると、可能にされる。代替として、監視周期は、構成可能である。監視周期の単位は、スロット、ミニスロット、またはシンボルである。随意に、受信されたＰＩが、伝送をキャンセルまたは停止するように示すとき、ＰＵＳＣＨ伝送は、ＰＵＳＣＨが、伝送されていないとき、キャンセルまたはパンクチャ処理され、ＰＵＳＣＨ伝送は、これが、伝送されているとき、停止またはパンクチャ処理される。キャンセルおよび停止は、伝送全体をキャンセルおよび停止すること、または単に、伝送の対立部分をキャンセルおよび停止することを指し得、非対立部分は、依然として伝送される。
【００８３】
第２の実施形態では、基地局は、ｅＭＢＢアップリンクサービスに配分されているリソースをプリエンプトするために、短い持続時間を伴うＵＲＬＬＣアップリンクサービスによって使用されるリソースをスケジューリングする。ＢＳは、プリエンプションインジケーション情報を送信し、アップリンクサービスの伝送をキャンセルまたは停止するように、そのリソースがプリエンプトされる端末に通知する。ＵＲＬＬＣアップリンクサービス使用の長さは、２または４または７シンボルである。ＵＲＬＬＣアップリンクスケジューリング時間間隔は、ｎ＋ｋ１ミニスロットまたはシンボル（例えば、ＯＦＤＭシンボルまたはＳＣ−ＦＤＭＡシンボル）であり、ｋ１は、０を上回る、またはそれに等しい整数である。ｅＭＢＢアップリンクスケジューリング間隔は、ｎ＋ｋ２スロットであり、ｋ２は、０を上回る、またはそれに等しい整数である。
【００８４】
プリエンプションインジケーション情報は、構成された基準アップリンクリソース領域を示し、基準アップリンクリソース領域、またはサブ領域がある粒度に従って分割される、基準アップリンクリソース領域の任意のサブ領域内にＵＲＬＬＣ伝送が存在するかどうかを示してもよい。基準アップリンクリソース領域に対応する周波数ドメインは、端末のアクティブＵＬ帯域幅部分（ＢＷＰ）と称される。基準アップリンクリソース領域に対応する時間ドメインは、現在のプリエンプションインジケーション情報が位置する、制御リソースセットの開始または終了シンボルの後の領域であり、開始オフセットは、事前定義される、または動的に示され、長さは、動的に示される。
【００８５】
ＰＩによって示される基準アップリンクリソースに関して、オフセット値は、固定値または構成された値または動的に示される値、例えば、４シンボル、または７シンボル、または監視周期のｍ倍であり、ｍは、正の整数であり、長さは、動的に示される値、例えば、監視周期のｎ倍であり、ｎは、正の整数である。
【００８６】
ＰＩによって示されるコンテンツは、以下のもの、すなわち、ＲＵＲの開始オフセットおよび長さを示すために使用されるＹビットであって、開始オフセットおよび長さは、監視周期の複数倍であり得、示されるＲＵＲは、デフォルトによってプリエンプトされ、すなわち、示されるＲＵＲに基づくデフォルトによるＵＲＬＬＣ伝送が、存在する、Ｙビット、ＲＵＲの長さを示すために使用されるＹビットであって、開始オフセット値は、固定値または上位層シグナリングによって構成される値であり、例えば、４シンボルまたは２つの２シンボルミニスロットに固定され、デフォルトで示されるＲＵＲにおけるＵＲＬＬＣ伝送が、存在する、Ｙビット、ＲＵＲの開始オフセットおよび周波数範囲を示すために使用されるＹビットであって、示されるＲＵＲは、デフォルトによってプリエンプトされ、すなわち、示されるＲＵＲに基づくデフォルトによるＵＲＬＬＣ伝送が、存在する、Ｙビット、ＲＵＲの周波数範囲を示すために使用されるＹビットであって、開始オフセット値は、固定値または上位層シグナリングによって構成される値であり、例えば、４シンボルまたは２つの２シンボルミニスロットに固定され、デフォルトで示されるＲＵＲにおけるＵＲＬＬＣ伝送が、存在する、Ｙビット、ＲＵＲの開始オフセット、長さ、および周波数範囲を示すために使用されるＹビットであって、示されるＲＵＲは、デフォルトによってプリエンプトされ、すなわち、示されるＲＵＲに基づくデフォルトによるＵＲＬＬＣ伝送が、存在する、Ｙビット、Ｘリソースサブ領域を含有するＲＵＲ内の各リソースサブブロックがプリエンプトされるかどうか、すなわち、各サブブロック内にＵＲＬＬＣサービスが存在するかどうかを示すために使用されるＹ＋Ｘビット、Ｘリソースサブ領域を含有するＲＵＲ内の各リソースサブ領域の第１の半分
【化７】
2021520135.tif 000009
および第２の半分
【化８】
2021520135.tif 000010
のＰＲＢがプリエンプトされるかどうか、すなわち、ＵＲＬＬＣサービスが存在するかどうかを示すために使用されるＹ＋２Ｘビットであって、
【化９】
2021520135.tif 000011
は、アクティブＵＬ  ＢＷＰ内に含まれるＰＲＢの数である、Ｙ＋２Ｘビット、ＲＵＲのＸ周波数ドメイン部分のそれぞれ（ＲＵＲのＰＲＢは、Ｘ個の部分に分割される）がプリエンプトされるかどうかを示すために使用されるＹ＋Ｘビット、Ｘリソースサブブロックを含有するＲＵＲ内の各リソースサブブロックの第１の半分
【化１０】
2021520135.tif 000012
および第２の半分
【化１１】
2021520135.tif 000013
のシンボルがプリエンプトされるかどうか、すなわち、ＵＲＬＬＣサービスが存在するかどうかを示すために使用されるＹ＋２Ｘビットであって、
【化１２】
2021520135.tif 000014
は、ＲＵＲ内の１つのリソースサブブロック内に含有される有効なシンボルの数である、Ｙ＋２Ｘビット、ＲＵＲのＸ時間ドメイン部分のそれぞれ（ＲＵＲのＯＦＤＭまたはＳＣ−ＦＤＭＡシンボルは、Ｘ個の部分に分割される）がプリエンプトされるかどうかを示すために使用されるＹ＋Ｘビット、ＲＵＲ内の１４個のリソースサブブロックがプリエンプトされるかどうか、すなわち、ＵＲＬＬＣサービスが存在するかどうかを示すために使用されるＹ＋１４ビットであって、１４個のリソースサブブロックは、高レベルシグナリング構成に従って、１４×１または７×２の様式で分割されるＲＵＲリソースである、Ｙ＋１４ビットのうちの少なくとも１つを含む。
【００８７】
上記の説明は、単一キャリアプリエンプションインジケーションに関する。複数キャリアが、使用されるとき、各キャリアは、独立して示される。ＰＩによって示されるＲＵＲおよびＰＩによって示されるコンテンツは、相互に組み合わせられることができる。
【００８８】
図８は、基準アップリンクリソースの動的に示される長さを用いてアップリンクリソースプリエンプションを示すための例示的方法を図示する。本実施例では、構成された監視周期は、２シンボルまたは２シンボルの長さを伴うミニスロットである。時間ドメイン内の基準アップリンクリソース領域の長さは、ＰＩによって動的に示される値であり、構成されたＰＩ監視周期の整数倍である。オフセット値は、ＰＩによって動的に示される値であり、構成されたＰＩ監視周期の整数倍である。図８に示されるように、ＰＩ８３１、８３２は、ＲＵＲ８４１、８４２内にＵＲＬＬＣサービスが存在することを示す。例えば、ＰＩ８３１のスロット＃ｎ内のミニスロット＃５によって示されるＲＵＲ８４１は、スロット＃ｎ＋１内の最初の２つのシンボルであり、すなわち、ＲＵＲ８４１は、４シンボルのオフセット値および２シンボルの長さを用いて決定される。別の実施例では、ＰＩ８３２のスロット＃ｎ内のミニスロット＃６によって示されるＲＵＲ８４２は、スロット＃ｎ＋１内のシンボル＃４〜＃９（すなわち、図のスロット＃ｎ＋１内のミニスロット＃２〜＃４）であり、すなわち、ＲＵＲ８４２は、６シンボルのオフセット値および６シンボルの長さによって決定される。本実施例では、Ｙビットが、ＲＵＲの開始オフセットおよび長さを示すために使用され、開始オフセットおよび長さは、監視周期の整数倍であり、ＵＲＬＬＣ伝送は、デフォルトで示されるＲＵＲ内に存在する。ＰＩによって示されるＲＵＲタイミング間隔が、ｎ＋ｋ０＋Ｓであり、ｋ０＝４シンボルであり、開始オフセットの範囲は、Ｓ＝０〜１２シンボルであり、すなわち、ｋ０＋Ｓは、オフセット値に等しいと想定する。長さ範囲は、Ｌ＝２〜１４シンボルである。オフセットおよび長さは、独立して、またはジョイントコーディングによって示されることができる。すなわち、連続リソース配分方法が、ＲＵＲ時間ドメイン範囲を共同で示すために使用されてもよく、すなわち、（Ｌ−１）≦７である場合、ＲＩＶ＝１４×（Ｌ−１）＋Ｓであり、そうでなければ、ＲＩＶ＝１４×（１４−Ｌ＋１）＋（１４−１−Ｓ）であり、０＜Ｌ≦１４−Ｓである場合、ＲＩＶは、リソースインジケーション値を表し、Ｙ＝７ビットである。例えば、４ビットが、Ｓを示すために使用され、４ビットが、Ｌを示すために使用され、次いで、Ｙ＝８ビットである。
【００８９】
本実施例では、制御情報８１０は、リソース領域８２０内のＵＥに関するアップリンク伝送をスケジューリングする。ＵＥは、監視周期に従って、ＰＩ検出８３０を実施する。ＵＲＬＬＣサービスの各制御情報８１１、８１２、８１３は、それぞれ、リソース領域８２１、８２２、８２３内の対応するＲＵＲを示す。各ＰＩ８３１、８３２は、ＰＩ伝送時間と同一の時間およびその前に伝送された制御情報、例えば、ＵＬグラントに従ってスケジューリングされたＵＲＬＬＣサービスのみを示すことができる。例えば、ＰＩ８３１は、制御情報８１２、８１３に従ってスケジューリングされたＵＲＬＬＣサービスではなく、制御情報８１１に従ってスケジューリングされたＵＲＬＬＣサービスのみを示すことができる。
【００９０】
図９は、基準アップリンクリソースの動的に示された長さを用いてアップリンクリソースプリエンプションを示すための別の例示的方法を図示する。本実施例では、構成された監視周期は、２シンボルまたは２シンボルの長さを伴うミニスロットである。時間ドメインにおける基準アップリンクリソース領域の長さは、ＰＩによって動的に示される値であり、構成されたＰＩ監視周期の整数倍である。オフセット値は、固定値、例えば、４シンボルである。図９に示されるように、ＰＩ９３１、９３２は、ＲＵＲ９４１、９４２内にＵＲＬＬＣサービスが存在することを示す。例えば、ＰＩ９３１のスロット＃ｎ内のミニスロット＃５によって示されるＲＵＲ９４１は、スロット＃ｎ＋１内の最初の２つのシンボルであり、すなわち、ＲＵＲ９４１は、４シンボルのオフセット値および２シンボルの長さを用いて決定される。別の実施例では、ＰＩ９３２のスロット＃ｎ内のミニスロット＃６によって示されるＲＵＲ９４２は、スロット＃ｎ＋１内のシンボル＃２〜＃９（すなわち、図のスロット＃ｎ＋１内のミニスロット＃１〜＃４）であり、すなわち、ＲＵＲ９４２は、４シンボルのオフセット値および８シンボルの長さによって決定される。本実施例では、Ｙビットが、ＲＵＲの長さを示すために使用され、ＲＵＲの開始オフセットは、固定値であり、例えば、４シンボルまたは２つの２シンボルミニスロットに固定され、長さは、監視周期のｎ倍である。デフォルトで示されるＲＵＲ内にＵＲＬＬＣ伝送が、存在する。ＰＩによって示されるＲＵＲタイミング間隔が、ｎ＋ｋ０であり、ｋ０＝４シンボルであり、すなわち、ｋ０は、オフセット値に等しく、長さ範囲は、Ｌ＝２〜１４シンボルであると想定する。この場合では、４ビットが、ＲＵＲ時間ドメイン範囲を示すために、すなわち、２〜１４の合計１３個の値を示すために使用される。
【００９１】
本実施例では、制御情報９１０は、リソース領域９２０内のＵＥに関するアップリンク伝送をスケジューリングする。ＵＥは、監視周期に従って、ＰＩ検出９３０を実施する。ＵＲＬＬＣサービスの各制御情報９１１、９１２、９１３は、それぞれ、リソース領域９２１、９２２、９２３内の対応するＲＵＲを示す。各ＰＩ９３１、９３２は、ＰＩ伝送時間と同一の時間およびその前に伝送された制御情報、例えば、ＵＬグラントに従ってスケジューリングされたＵＲＬＬＣサービスのみを示すことができる。例えば、ＰＩ９３１は、制御情報９１２、９１３に従ってスケジューリングされたＵＲＬＬＣサービスではなく、制御情報９１１に従ってスケジューリングされたＵＲＬＬＣサービスのみを示すことができる。
【００９２】
ユーザまたはＵＥは、構成された監視周期に従って、プリエンプション情報を検出する。プリエンプション情報を受信した後、ユーザは、アップリンクサービスの伝送をキャンセルする、またはその伝送を停止する。随意に、ＵＬ  ＰＩ監視の構成に関して、ユーザは、ＵＬグラントを受信した後に受信されたＰＩを検出し始め、ＵＬグラントが、受信されないとき、ＵＬ  ＰＩを監視する必要はない。随意に、ＰＩインジケーションを受信するＲＵＲが、ＵＲＬＬＣを有する場合、ＲＵＲに対応するスロット内のＰＵＳＣＨ下の伝送は、キャンセルまたは停止されると見なされる。さらに、スロット内のＲＵＲ後にＲＵＲを示すＰＩを監視または受信することは、必要ではない。すなわち、いかなる他のアップリンク伝送も、いかなる対立も存在しない場合であっても、後続ＲＵＲ内でデフォルトによってスケジューリングされない。一実施例では、受信された後続ＰＩが、いかなる対立も示さない、またはいかなる後続ＰＩも、受信されないとき、デフォルトによるアップリンク伝送は、再開されない。別の実施例では、受信された後続ＰＩが、いかなる対立も示さないとき、ＰＵＳＣＨ上のアップリンク伝送は、対立を伴わずにＲＵＲ内で継続する。
【００９３】
一実施形態では、受信されたインジケーション情報が、これがプリエンプトされるかどうかを示すために１ビットを使用するとき、アップリンク伝送は、キャンセルまたは停止され、受信されたインジケーション情報が、基準アップリンクリソース領域内のリソースの一部がプリエンプトされることを示すために１を上回るビットを使用するとき、基準アップリンクリソース領域のプリエンプトされる部分上のアップリンク伝送は、キャンセルまたは停止され、基準アップリンクリソース領域の残りのプリエンプトされない部分上のアップリンク伝送は、依然として送信されている。アップリンク伝送は、再開されてもよい（すなわち、プリエンプトされる部分は、もはや送信されない一方、プリエンプトされない部分を送信し続ける）、または遅延されてもよい（すなわち、プリエンプトされる部分は、伝送のためのプリエンプトされないリソースに遅延され、これは、データの最後の部分が常時プリエンプトされることを意味する）。別の実施例では、受信されたインジケーション情報が、これがプリエンプトされるかどうかを示すために１ビットを使用するとき、アップリンク伝送は、停止され、ＰＩによって示されるＲＵＲ後に再開される。別の実施例では、受信されたインジケーション情報が、これがプリエンプトされるかどうかを示すために１ビットを使用するとき、アップリンク伝送は、停止され、ＰＩによって示されるＲＵＲ後に遅延される。
【００９４】
プリエンプション情報が、ＵＥ特有情報であるとき、伝送は、これが、受信されると、キャンセルまたは停止される。プリエンプション情報が、グループ共通情報であるとき、ＵＥは、プリエンプションインジケーションの通知されたリソース範囲がその独自のアップリンクサービスと対立するかどうかを決定し、伝送は、対立が、存在する場合、キャンセルまたは停止される。一実施例では、いったんＰＩインジケーションが、ＵＬグラント後に検出されると、対立が存在するかどうかにかかわらず、オリジナルアップリンク伝送は、キャンセルまたは停止される。別の実施例では、いったんＰＩインジケーションが、ＵＬグラント後に検出され、スケジューリングされたアップリンクサービスとの対立が、存在すると、オリジナルアップリンク伝送は、キャンセルまたは停止され、次のＵＬグラントが受信されるまで、または次のスロットまで、再開しない。次のＵＬグラントが受信されるまで、または次のスロットまで、ＰＩを監視または受信するいかなる必要性も、存在しない。
【００９５】
一実施形態では、ＵＬ  ＰＩが機能する条件は、ＰＩ処理の遅延がＵＲＬＬＣのアップリンクスケジューリング遅延未満であることであり、機能は、条件が、満たされると、可能にされる。代替として、監視周期は、構成可能である。監視周期の単位は、スロット、ミニスロット、またはシンボルである。随意に、受信されたＰＩが、伝送をキャンセルまたは停止するように示すとき、ＰＵＳＣＨ伝送は、ＰＵＳＣＨが、伝送されていないとき、キャンセルまたはパンクチャ処理され、ＰＵＳＣＨ伝送は、これが、伝送されているとき、停止またはパンクチャ処理される。キャンセルおよび停止は、伝送全体をキャンセルおよび停止すること、または単に、伝送の対立部分をキャンセルおよび停止することを指し得、非対立部分は、依然として伝送される。
【００９６】
第３の実施形態では、基地局は、ｅＭＢＢアップリンクサービスに配分されているリソースをプリエンプトするために、短い持続時間を伴うＵＲＬＬＣアップリンクサービスによって使用されるリソースをスケジューリングする。ＢＳは、プリエンプションインジケーション情報を送信し、アップリンクサービスの伝送をキャンセルまたは停止するように、そのリソースがプリエンプトされる端末に通知する。ＵＲＬＬＣアップリンクサービス使用の長さは、２または４または７シンボルである。ＵＲＬＬＣアップリンクスケジューリング時間間隔は、ｎ＋ｋ１スロットであり、ｋ１は、０を上回る、またはそれに等しい整数である。ｅＭＢＢアップリンクスケジューリング間隔は、ｎ＋ｋ２スロットであり、ｋ２は、０を上回る、またはそれに等しい整数である。
【００９７】
プリエンプションインジケーション情報は、構成された基準アップリンクリソース領域を示し、基準アップリンクリソース領域、またはサブ領域がある粒度に従って分割される、基準アップリンクリソース領域の任意のサブ領域内にＵＲＬＬＣ伝送が存在するかどうかを示してもよい。基準アップリンクリソース領域に対応する周波数ドメインは、端末のアクティブＵＬ帯域幅部分（ＢＷＰ）と称される。基準アップリンクリソース領域に対応する時間ドメインは、現在のプリエンプションインジケーション情報が位置する、制御リソースセットの開始または終了シンボルの後の領域であり、そのオフセット値および長さは、事前定義される、または上位層シグナリングによって構成される。
【００９８】
ＰＩによって示される基準アップリンクリソースに関して、オフセット値は、固定値または構成された値、例えば、４シンボル、または７シンボル、または監視周期のｍ倍であり、ｍは、正の整数であり、長さは、固定値または構成された値、例えば、監視周期のｎ倍に等しく、ｎは、正の整数である。さらに、基準アップリンクリソースは、スロット境界を横断しない。
【００９９】
ＰＩによって示されるコンテンツは、以下のもの、すなわち、Ｘ監視周期を含有する基準アップリンクリソース（ＲＵＲ）内の各監視周期がプリエンプトされるかどうか、すなわち、ＵＲＬＬＣサービスが存在するかどうかを示すために使用されるＸビット、Ｘ監視周期を含有するＲＵＲ内の各監視周期内の第１の半分
【化１３】
2021520135.tif 000015
および第２の半分
【化１４】
2021520135.tif 000016
のＰＲＢがプリエンプトされるかどうか、すなわち、ＵＲＬＬＣサービスが存在するかどうかを示すために使用される２Ｘビットであって、
【化１５】
2021520135.tif 000017
は、アクティブＵＬ  ＢＷＰ内に含まれるＰＲＢの数である、２Ｘビット、Ｘ監視周期を含有するＲＵＲ内の各監視周期内の第１の半分
【化１６】
2021520135.tif 000018
および第２の半分
【化１７】
2021520135.tif 000019
のシンボルがプリエンプトされるかどうか、すなわち、ＵＲＬＬＣサービスが存在するかどうかを示すために使用される２Ｘビットであって、
【化１８】
2021520135.tif 000020
は、ＲＵＲ内に含まれる有効なシンボルの数である、２Ｘビット、ＲＵＲ内の１４個のリソースサブブロックがプリエンプトされるかどうか、すなわち、ＵＲＬＬＣサービスが存在するかどうかを示すために使用される１４ビットであって、１４個のリソースサブブロックは、上位層シグナリング構成に従って、１４×１または７×２の様式で分割されるＲＵＲリソースである、１４ビットのうちの少なくとも１つを含む。
【０１００】
上記の説明は、単一キャリアプリエンプションインジケーションに関する。複数キャリアが、使用されるとき、各キャリアは、独立して示される。ＰＩによって示されるＲＵＲおよびＰＩによって示されるコンテンツは、相互に組み合わせられることができる。
【０１０１】
図１０および図１１は、スロットに等しい基準アップリンクリソース長さを用いてアップリンクリソースプリエンプションを示すための例示的方法を図示する。両方の実施例では、監視周期は、１スロットであるように構成される。基準アップリンクリソースの長さは、構成されたＰＩ監視周期に等しい。オフセットは、上位層シグナリングによって構成される値、または固定値、例えば、４シンボルである。図１０に示されるように、ＰＩ１０３１によって示されるＲＵＲ１０４１は、スロット境界を横断しないスロットであり、オフセット値は、４シンボル分であり、構成されたＰＩが位置する、制御リソースセットおよび検索スペースは、スロットの開始境界から離れた（オフセット−Ｐ）シンボルであり、Ｐは、制御リソースセットのシンボルの数を表し、オフセット値１０３５は、現在のプリエンプションインジケーション情報が位置する、制御リソースセットの開始シンボルからオフセットされるシンボルの数であると想定する。図１１に示されるように、ＰＩ１１３１によって示されるＲＵＲ１１４１は、スロット境界を横断し、その長さは、１スロットに等しいと想定する。この時点で、オフセット値１１３５は、４シンボルである。構成されたＰＩが位置する、制御リソースセットおよび検索スペースは、ＰＩによって示されるＲＵＲの開始境界から離れた（オフセット−Ｐ）シンボルであり、Ｐは、制御リソースセットのシンボルの数を表し、オフセット値は、現在のプリエンプションインジケーション情報が位置する、制御リソースセットの開始シンボルからオフセットされるシンボルの数である。図１０および図１１に示されるような両方の実施例では、１４ビットが、ＲＵＲ内の１４個のリソースサブブロック内にＵＲＬＬＣサービスが存在するかどうかを示すために使用されてもよく、１４個のリソースサブブロックは、上位層シグナリング構成に従って、１４×１または７×２の様式で分割されるＲＵＲリソースである。
【０１０２】
本実施例では、ＵＥは、１スロットに等しい監視周期に従って、ＰＩ検出１０３０、１１２０を実施する。各ＰＩ１０３１、１１３１は、ＰＩ伝送時間と同一の時間およびその前に伝送された制御情報、例えば、ＵＬグラントに従ってスケジューリングされたＵＲＬＬＣサービスのみを示すことができる。
【０１０３】
ユーザまたはＵＥは、構成された監視周期に従って、プリエンプション情報を検出する。プリエンプション情報を受信した後、ユーザは、アップリンクサービスの伝送をキャンセルする、またはその伝送を停止する。随意に、ＵＬ  ＰＩ監視の構成に関して、ユーザは、ＵＬグラントを受信した後に受信されたＰＩを検出し始め、ＵＬグラントが、受信されないとき、ＵＬ  ＰＩを監視する必要はない。随意に、ＰＩインジケーションを受信するＲＵＲが、ＵＲＬＬＣを有する場合、ＲＵＲに対応するスロット内のＰＵＳＣＨ下の伝送は、キャンセルまたは停止されると見なされる。さらに、スロット内のＲＵＲ後にＲＵＲを示すＰＩを監視または受信することは、必要ではない。すなわち、いかなる他のアップリンク伝送も、いかなる対立も存在しない場合であっても、後続ＲＵＲ内でデフォルトによってスケジューリングされない。一実施例では、受信された後続ＰＩが、いかなる対立も示さない、またはいかなる後続ＰＩも、受信されないとき、デフォルトによるアップリンク伝送は、再開されない。別の実施例では、受信された後続ＰＩが、いかなる対立も示さないとき、ＰＵＳＣＨ上のアップリンク伝送は、対立を伴わずにＲＵＲ内で継続する。
【０１０４】
一実施形態では、受信されたインジケーション情報が、これがプリエンプトされるかどうかを示すために１ビットを使用するとき、アップリンク伝送は、キャンセルまたは停止され、受信されたインジケーション情報が、基準アップリンクリソース領域内のリソースの一部がプリエンプトされることを示すために１を上回るビットを使用するとき、基準アップリンクリソース領域のプリエンプトされる部分上のアップリンク伝送は、キャンセルまたは停止され、基準アップリンクリソース領域の残りのプリエンプトされない部分上のアップリンク伝送は、依然として送信されている。アップリンク伝送は、再開されてもよい（すなわち、プリエンプトされる部分は、もはや送信されない一方、プリエンプトされない部分を送信し続ける）、または遅延されてもよい（すなわち、プリエンプトされる部分は、伝送のためのプリエンプトされないリソースに遅延され、これは、データの最後の部分が常時プリエンプトされることを意味する）。別の実施例では、受信されたインジケーション情報が、これがプリエンプトされるかどうかを示すために１ビットを使用するとき、アップリンク伝送は、停止され、ＰＩによって示されるＲＵＲ後に再開される。別の実施例では、受信されたインジケーション情報が、これがプリエンプトされるかどうかを示すために１ビットを使用するとき、アップリンク伝送は、停止され、ＰＩによって示されるＲＵＲ後に遅延される。
【０１０５】
プリエンプション情報が、ＵＥ特有情報であるとき、伝送は、これが、受信されると、キャンセルまたは停止される。プリエンプション情報が、グループ共通情報であるとき、ＵＥは、プリエンプションインジケーションの通知されたリソース範囲がその独自のアップリンクサービスと対立するかどうかを決定し、伝送は、対立が、存在する場合、キャンセルまたは停止される。一実施例では、いったんＰＩインジケーションが、ＵＬグラント後に検出されると、対立が存在するかどうかにかかわらず、オリジナルアップリンク伝送は、キャンセルまたは停止される。別の実施例では、いったんＰＩインジケーションが、ＵＬグラント後に検出され、スケジューリングされたアップリンクサービスとの対立が、存在すると、オリジナルアップリンク伝送は、キャンセルまたは停止され、次のＵＬグラントが受信されるまで、または次のスロットまで、再開しない。次のＵＬグラントが受信されるまで、または次のスロットまで、ＰＩを監視または受信するいかなる必要性も、存在しない。
【０１０６】
一実施形態では、ＵＬ  ＰＩが機能する条件は、ＰＩ処理の遅延がＵＲＬＬＣのアップリンクスケジューリング遅延未満であることであり、機能は、条件が、満たされると、可能にされる。代替として、監視周期は、構成可能である。監視周期の単位は、スロット、ミニスロット、またはシンボルである。随意に、受信されたＰＩが、伝送をキャンセルまたは停止するように示すとき、ＰＵＳＣＨ伝送は、ＰＵＳＣＨが、伝送されていないとき、キャンセルまたはパンクチャ処理され、ＰＵＳＣＨ伝送は、これが、伝送されているとき、停止またはパンクチャ処理される。キャンセルおよび停止は、伝送全体をキャンセルおよび停止すること、または単に、伝送の対立部分をキャンセルおよび停止することを指し得、非対立部分は、依然として伝送される。
【０１０７】
第４の実施形態では、基地局は、ｅＭＢＢアップリンクサービスに配分されているリソースをプリエンプトするために、短い持続時間を伴うＵＲＬＬＣアップリンクサービスによって使用されるリソースをスケジューリングする。ＢＳは、プリエンプションインジケーション情報を送信し、アップリンクサービスの伝送をキャンセルまたは停止するように、そのリソースがプリエンプトされる端末に通知する。ＵＲＬＬＣアップリンクサービス使用の長さは、２または４または７シンボルである。ＵＲＬＬＣアップリンクスケジューリング時間間隔は、ｎ＋ｋ１ミニスロットまたはシンボル（例えば、ＯＦＤＭシンボルまたはＳＣ−ＦＤＭＡシンボル）であり、ｋ１は、０を上回る、またはそれに等しい整数である。ｅＭＢＢアップリンクスケジューリング間隔は、ｎ＋ｋ２スロットであり、ｋ２は、０を上回る、またはそれに等しい整数である。
【０１０８】
プリエンプションインジケーション情報は、ユーザグループ内の各ユーザがアップリンク伝送に関してプリエンプトされるかどうかを示す。例えば、ユーザの構成されたセットでは、Ｎビットが、Ｎ人のユーザがそれぞれ、アップリンク伝送に関してプリエンプトされるかどうか、すなわち、スケジューリングされたアップリンク伝送が、キャンセルまたは停止される必要があるかどうかを示すために使用される。別の実施例では、ユーザの構成されたセットでは、Ｙ×Ｎビットが、Ｎ人のユーザがそれぞれ、アップリンク伝送に関してプリエンプトされるかどうか、およびＵＥに関して、スケジューリングされたアップリンク伝送が、Ｙ個の部分のそれぞれの中でキャンセルまたは停止またはパンクチャ処理される必要があるかどうかを示すために使用され、ＵＬ  ＢＷＰまたはＰＵＳＣＨの周波数範囲は、Ｙ個の部分に分割される、またはＰＵＳＣＨまたはスロットの時間ドメインは、Ｙ個の部分に分割される。
【０１０９】
一実施例では、スケジューリングされたアップリンク伝送は、ＰＩインジケーション情報を受信することに応じて、キャンセルまたは停止される。別の実施例では、ＰＩインジケーション情報を受信した後、アップリンク伝送プリエンプションは、現在のプリエンプションインジケーション情報が位置する、制御リソースセットの開始または終了シンボルの後の領域内で有効な状態になる。オフセット値は、事前定義される、または上位層シグナリング構成または動的インジケーションに基づいて決定され、例えば、４シンボル、または７シンボル、または監視周期のｍ倍であり、ｍは、正の整数である。
【０１１０】
ＰＩによって示されるコンテンツは、Ｎ個のＵＥを含むユーザグループ内で、各ＵＥがアップリンク伝送をキャンセルまたは停止する必要があるかどうかを示すためにＮビットを使用することを含む。図１２は、ユーザのグループに関してアップリンクリソースプリエンプションを示すための例示的方法を図示する。本実施例では、構成された監視周期は、２シンボルまたは２シンボルの長さを伴うミニスロットである。時間ドメインにおける基準アップリンクリソースの長さは、構成されたＰＩ監視周期に等しい。オフセット値は、ＰＩが位置する、制御リソースセットの開始シンボル後の４シンボルである。図１２に示されるように、ユーザグループは、３人のユーザを含み、ＰＩ１２５１、１２５２は、ミニスロット＃ｎ内の第１のシンボルに位置し、リソースプリエンプションは、ミニスロット＃ｎ＋２からＲＵＲの終了（本ミニスロット）まで効果を生じると仮定される。すなわち、ＰＩに関する効果開始時間は、ミニスロット＃ｎ＋２の開始時である。本実施例では、３ビットが、３人のユーザを含むユーザグループ内の各ユーザがプリエンプトされるかどうかを示すために使用される。この場合では、各ビットは、１人のユーザに対応し、ユーザシーケンスは、上位層シグナリングによって構成される。
【０１１１】
一実施例では、ＰＩは、スロット境界まで効果を生じる。別の実施例では、ＰＩは、効果開始時間からＰＩによって示されるスロットの終了シンボルまで効果を生じる。
【０１１２】
本実施例では、制御情報１２１１、１２１２、１２１３は、それぞれ、リソース領域１２２１、１２２２、１２２３内の３つのＵＥに関するアップリンク伝送をスケジューリングする。各ＵＥは、監視周期に従って、ＰＩ検出１２５０を実施してもよい。ＵＲＬＬＣサービスの各制御情報１２３１、１２３２、１２３３は、それぞれ、対応するリソースプリエンプション領域１２４１、１２４２、１２４３を示す。各ＰＩ１２５１、１２５２は、ＰＩ伝送時間と同一の時間およびその前に伝送された制御情報、例えば、ＵＬグラントに従ってスケジューリングされたＵＲＬＬＣサービスのみを示すことができる。例えば、ＰＩ１２５１は、制御情報１２３２、１２３３に従ってスケジューリングされたＵＲＬＬＣサービスではなく、制御情報１２３１に従ってスケジューリングされたＵＲＬＬＣサービスのみを示すことができる。したがって、ＰＩ１２５１は、ＰＩ１２５１の伝送時間によって、ユーザＤ２、Ｄ３ではなく、第１のユーザＤ１のみが、プリエンプトされるため、１００を示す。
【０１１３】
ユーザまたはＵＥは、構成された監視周期に従って、プリエンプション情報を検出する。プリエンプション情報を受信した後、ユーザは、アップリンクサービスの伝送をキャンセルする、またはその伝送を停止する。随意に、ＵＬ  ＰＩ監視の構成に関して、ユーザは、ＵＬグラントを受信した後に受信されたＰＩを検出し始め、ＵＬグラントが、受信されないとき、ＵＬ  ＰＩを監視する必要はない。随意に、ＰＩインジケーションを受信するＲＵＲが、ＵＲＬＬＣを有する場合、ＲＵＲに対応するスロット内のＰＵＳＣＨ下の伝送は、キャンセルまたは停止されると見なされる。さらに、スロット内のＲＵＲ後にＲＵＲを示すＰＩを監視または受信することは、必要ではない。すなわち、いかなる他のアップリンク伝送も、いかなる対立も存在しない場合であっても、後続ＲＵＲ内でデフォルトによってスケジューリングされない。一実施例では、受信された後続ＰＩが、いかなる対立も示さない、またはいかなる後続ＰＩも、受信されないとき、デフォルトによるアップリンク伝送は、再開されない。別の実施例では、受信された後続ＰＩが、いかなる対立も示さないとき、ＰＵＳＣＨ上のアップリンク伝送は、対立を伴わずにＲＵＲ内で継続する。
【０１１４】
一実施形態では、受信されたＵＥ特有インジケーション情報が、これがプリエンプトされるかどうかを示すために１ビットを使用するとき、アップリンク伝送は、キャンセルまたは停止され、受信されたＵＥ特有インジケーション情報が、基準アップリンクリソース領域内のリソースの一部がプリエンプトされることを示すために１を上回るビットを使用するとき、基準アップリンクリソース領域のプリエンプトされる部分上のアップリンク伝送は、キャンセルまたは停止され、基準アップリンクリソース領域の残りのプリエンプトされない部分上のアップリンク伝送は、依然として送信されている。アップリンク伝送は、再開されてもよい（すなわち、プリエンプトされる部分は、もはや送信されない一方、プリエンプトされない部分を送信し続ける）、または遅延されてもよい（すなわち、プリエンプトされる部分は、伝送のためのプリエンプトされないリソースに遅延され、これは、データの最後の部分が常時プリエンプトされることを意味する）。別の実施例では、受信されたインジケーション情報が、これがプリエンプトされるかどうかを示すために１ビットを使用するとき、アップリンク伝送は、停止され、ＰＩによって示されるＲＵＲ後に再開される。別の実施例では、受信されたインジケーション情報が、これがプリエンプトされるかどうかを示すために１ビットを使用するとき、アップリンク伝送は、停止され、ＰＩによって示されるＲＵＲ後に遅延される。
【０１１５】
プリエンプション情報が、グループ共通情報であるとき、ＵＥは、プリエンプションインジケーションの通知されたリソース範囲がその独自のアップリンクサービスと対立するかどうかを決定し、伝送は、対立が、存在する場合、キャンセルまたは停止される。一実施例では、いったんＰＩインジケーションが、ＵＬグラント後に検出されると、対立が存在するかどうかにかかわらず、オリジナルアップリンク伝送は、キャンセルまたは停止される。別の実施例では、いったんＰＩインジケーションが、ＵＬグラント後に検出され、スケジューリングされたアップリンクサービスとの対立が、存在すると、オリジナルアップリンク伝送は、キャンセルまたは停止され、次のＵＬグラントが受信されるまで、または次のスロットまで、再開しない。次のＵＬグラントが受信されるまで、または次のスロットまで、ＰＩを監視または受信するいかなる必要性も、存在しない。
【０１１６】
一実施形態では、ＵＬ  ＰＩが機能する条件は、ＰＩ処理の遅延がＵＲＬＬＣのアップリンクスケジューリング遅延未満であることであり、機能は、条件が、満たされると、可能にされる。代替として、監視周期は、構成可能である。監視周期の単位は、スロット、ミニスロット、またはシンボルである。随意に、受信されたＰＩが、伝送をキャンセルまたは停止するように示すとき、ＰＵＳＣＨ伝送は、ＰＵＳＣＨが、伝送されていないとき、キャンセルまたはパンクチャ処理され、ＰＵＳＣＨ伝送は、これが、伝送されているとき、停止またはパンクチャ処理される。キャンセルおよび停止は、伝送全体をキャンセルおよび停止すること、または単に、伝送の対立部分をキャンセルおよび停止することを指し得、非対立部分は、依然として伝送される。
【０１１７】
第５の実施形態では、基地局は、ｅＭＢＢアップリンクサービスに配分されているリソース（ＰＵＳＣＨ、ＰＵＣＣＨ、およびＳＲＳのうちの少なくとも１つを含む）をプリエンプトするために、短い持続時間を伴うＵＲＬＬＣアップリンクサービスによって使用されるリソースをスケジューリングする。ＢＳは、プリエンプションインジケーション情報を送信し、そのリソースがプリエンプトされる端末に通知する。プリエンプションインジケーション情報を受信した後、端末は、チャネルタイプに基づいて、アップリンク伝送をキャンセルまたは停止することを決定する。
【０１１８】
プリエンプションインジケーション情報は、構成された基準アップリンクリソース領域を示し、基準アップリンクリソース領域、またはサブ領域がある粒度に従って分割される、基準アップリンクリソース領域の任意のサブ領域内にＵＲＬＬＣ伝送が存在するかどうかを示してもよい。基準アップリンクリソース領域に対応する周波数ドメインは、端末のアクティブＵＬ帯域幅部分（ＢＷＰ）と称される。基準アップリンクリソース領域に対応する時間ドメインは、現在のプリエンプションインジケーション情報が位置する、制御リソースセットの開始または終了シンボルの後の領域であり、そのオフセット値および長さは、事前定義される、または上位層シグナリングを介して構成される。
【０１１９】
ＰＩによって示される基準アップリンクリソースに関して、オフセット値は、固定値または構成された値、例えば、４シンボル、または７シンボル、または監視周期のｍ倍であり、ｍは、正の整数であり、長さは、固定値または構成された値、例えば、監視周期のｎ倍に等しく、ｎは、正の整数である。
【０１２０】
ＰＩによって示されるコンテンツは、以下のモード、すなわち、（１）Ｘ監視周期を含有する基準アップリンクリソース（ＲＵＲ）内の各監視周期がプリエンプトされるかどうかを示すためのＸビット、（２）ＲＵＲがプリエンプトされるかどうか、すなわち、ＵＲＬＬＣ伝送が存在するかどうかを示すために使用される１ビット、（３）Ｎ個のＵＥを含むユーザグループ内で、各ＵＥが伝送をキャンセルまたは停止する必要があるかどうかを示すために使用されるＮビット、（４）Ｘ監視周期を含有するＲＵＲ内の各監視周期内の第１の半分
【化１９】
2021520135.tif 000021
および第２の半分
【化２０】
2021520135.tif 000022
の物理リソースブロック（ＰＲＢ）がプリエンプトされるかどうかを示すために使用される２Ｘビットであって、
【化２１】
2021520135.tif 000023
は、アクティブＵＬ  ＢＷＰ内に含まれるＰＲＢの数である、２Ｘビット、（５）Ｘ監視周期を含有するＲＵＲ内の各監視周期内の第１の半分
【化２２】
2021520135.tif 000024
および第２の半分
【化２３】
2021520135.tif 000025
のシンボルがプリエンプトされるかどうかを示すために使用される２Ｘビットであって、
【化２４】
2021520135.tif 000026
は、ＲＵＲ内に含まれる有効なシンボルの数である、２Ｘビット、（６）ＲＵＲ内の１４個のリソースサブブロックがプリエンプトされるかどうかを示すために使用される１４ビットであって、１４個のリソースサブブロックは、上位層シグナリング構成に従って、１４×１または７×２の様式で分割されるＲＵＲリソースである、１４ビット、および（７）各タイプのチャネルまたは信号がプリエンプトされるかどうかを示すために使用されるＺビットのうちの少なくとも１つを含む。モード（１）−（７）についての上記の説明は、単一キャリアプリエンプションインジケーションに関する。複数キャリアが、使用されるとき、各キャリアは、独立して示される。
【０１２１】
一実施例では、独立したＰＩインジケーションが、チャネル／信号毎に使用され、すなわち、各チャネル／信号は、独立してモード（１）−（６）のうちの１つを使用する。代替として、同一のＰＩインジケーションモードが、異なるタイプのチャネル／信号のために使用される一方、チャネル／信号は、それらのＰＩ情報を相互に区別するために、異なる無線ネットワーク一時識別子（ＲＮＴＩ）を使用する。
【０１２２】
端末が、ＰＩを受信した後（例えば、ＰＩは、上記のモード（１）−（６）のうちの１つである）、対応するＵＥ挙動が、所定の、または上位層構成に従って決定される。例えば、ＲＵＲが、ＵＲＬＬＣを有するように受信されたＰＩインジケーションによって示されるとき、ＲＵＲ内に含まれる全てのタイプのチャネル／信号（ＰＵＣＣＨ、ＰＵＳＣＨ、ＳＲＳ等）の伝送は、キャンセルまたは停止されるべきであると見なされる。別の実施例では、ＲＵＲ内のリソースの一部は、ＰＩに従ってプリエンプトされ、次いで、全てのアップリンクチャネル／信号の伝送は、プリエンプトされたリソース内でキャンセルまたは停止される一方、他のプリエンプトされないリソース内の伝送は、送信されるであろう。別の実施例では、ＲＵＲ内のリソースの少なくとも一部が、ＰＩに従ってプリエンプトされるとき、ＰＵＳＣＨ伝送は、キャンセルまたは停止される一方、ＰＵＳＣＨ伝送は、継続する、またはＰＵＳＣＨ伝送は、キャンセルまたは停止される一方、ＳＲＳ伝送は、継続する。別の実施例では、ＲＵＲが、ＵＲＬＬＣを有するように受信されたＰＩインジケーションによって示されるとき、ＲＵＲに対応するスロット内に含まれる全てのタイプのチャネル／信号（ＰＵＣＣＨ、ＰＵＳＣＨ、ＳＲＳ等）の伝送は、キャンセルまたは停止されるべきであると見なされる。加えて、スロット内のＲＵＲ後にＲＵＲを示すＰＩを監視または受信することは、必要ではない。すなわち、いかなる他のアップリンク伝送も、いかなる対立も存在しない場合であっても、後続ＲＵＲ内でデフォルトによってスケジューリングされない。一実施例では、受信された後続ＰＩが、いかなる対立も示さない、またはいかなる後続ＰＩも、受信されないとき、デフォルトによるアップリンク伝送は、再開されない。別の実施例では、受信された後続ＰＩが、いかなる対立も示さないとき、ＰＵＳＣＨ、ＰＵＣＣＨ、および／またはＳＲＳ上のアップリンク伝送は、対立を伴わずにＲＵＲ内で継続する。
【０１２３】
一実施形態では、受信されたインジケーション情報が、これがプリエンプトされるかどうかを示すために１ビットを使用するとき、アップリンク伝送は、キャンセルまたは停止され、受信されたインジケーション情報が、基準アップリンクリソース領域内のリソースの一部がプリエンプトされることを示すために１を上回るビットを使用するとき、基準アップリンクリソース領域のプリエンプトされる部分上のアップリンク伝送は、キャンセルまたは停止され、基準アップリンクリソース領域の残りのプリエンプトされない部分上のアップリンク伝送は、依然として送信されている。アップリンク伝送は、再開されてもよい（すなわち、プリエンプトされる部分は、もはや送信されない一方、プリエンプトされない部分を送信し続ける）、または遅延されてもよい（すなわち、プリエンプトされる部分は、伝送のためのプリエンプトされないリソースに遅延され、これは、データの最後の部分が常時プリエンプトされることを意味する）。別の実施例では、受信されたインジケーション情報が、これがプリエンプトされるかどうかを示すために１ビットを使用するとき、アップリンク伝送は、停止され、ＰＩによって示されるＲＵＲ後に再開される。別の実施例では、受信されたインジケーション情報が、これがプリエンプトされるかどうかを示すために１ビットを使用するとき、アップリンク伝送は、停止され、ＰＩによって示されるＲＵＲ後に遅延される。
【０１２４】
プリエンプション情報が、ＵＥ特有情報であるとき、伝送は、これが、受信されると、キャンセルまたは停止される。プリエンプション情報が、グループ共通情報であるとき、ＵＥは、プリエンプションインジケーションの通知されたリソース範囲がその独自のアップリンクサービスと対立するかどうかを決定し、伝送は、対立が、存在する場合、キャンセルまたは停止される。一実施例では、いったんＰＩインジケーションが、ＵＬグラント後に検出されると、対立が存在するかどうかにかかわらず、オリジナルアップリンク伝送は、キャンセルまたは停止される。別の実施例では、いったんＰＩインジケーションが、ＵＬグラント後に検出され、スケジューリングされたアップリンクサービスとの対立が、存在すると、オリジナルアップリンク伝送は、キャンセルまたは停止され、次のＵＬグラントが受信されるまで、または次のスロットまで、再開しない。次のＵＬグラントが受信されるまで、または次のスロットまで、ＰＩを監視または受信するいかなる必要性も、存在しない。
【０１２５】
一実施形態では、ＵＬ  ＰＩが機能する条件は、ＰＩ処理の遅延がＵＲＬＬＣのアップリンクスケジューリング遅延未満であることであり、機能は、条件が、満たされると、可能にされる。代替として、監視周期は、構成可能である。監視周期の単位は、スロット、ミニスロット、またはシンボルである。随意に、受信されたＰＩが、伝送をキャンセルまたは停止するように示すとき、ＰＵＳＣＨ伝送は、ＰＵＳＣＨが、伝送されていないとき、キャンセルまたはパンクチャ処理され、ＰＵＳＣＨ伝送は、これが、伝送されているとき、停止またはパンクチャ処理される。キャンセルおよび停止は、伝送全体をキャンセルおよび停止すること、または単に、伝送の対立部分をキャンセルおよび停止することを指し得、非対立部分は、依然として伝送される。
【０１２６】
第６の実施形態では、前述の５つの実施形態のうちの少なくとも１つに基づいて、プリエンプトされるユーザのＰＵＳＣＨは、スロットアグリゲーションの様式で伝送される。受信されたＰＩが、アグリゲーションされたスロットの一部の中にプリエンプトされる伝送が存在することを示すとき、ＵＥ挙動は、以下のもの、すなわち、受信されたＰＩが、リソースがプリエンプトされ、アグリゲーションされたスロットの一部の中のＰＵＳＣＨと対立することを示すとき、スロットアグリゲーションの様式で伝送される全てのＰＵＳＣＨは、キャンセルまたは停止されること、受信されたＰＩが、リソースがプリエンプトされ、アグリゲーションされたスロットの一部の中のＰＵＳＣＨと対立することを示すとき、対立するスロットは、伝送をキャンセルまたは停止し、残りの対立しないスロットは、依然としてＰＵＳＣＨを伝送し得ることのうちの少なくとも１つを含む。一実施例では、キャンセルまたは停止されたスロットが、冗長バージョンＲＶ０を伝送するようにスケジューリングされたとき、プリエンプトされたＲＶ０は、後で伝送されるであろう。別の実施例では、キャンセルまたは停止されたスロットが、他の冗長バージョン（ＲＶ１、ＲＶ２、およびＲＶ３等）を伝送するようにスケジューリングされたとき、ＵＥは、プリエンプトされない冗長バージョンを伝送し続けるであろう。一実施例では、キャンセルまたは停止されたスロットが、冗長バージョンＲＶ０またはＲＶ３を伝送するようにスケジューリングされたとき、プリエンプトされたＲＶ０またはＲＶ３は、後で伝送されるであろう。別の実施例では、キャンセルまたは停止されたスロットが、他の冗長バージョン（ＲＶ１またはＲＶ２等）を伝送するようにスケジューリングされたとき、ＵＥは、プリエンプトされない冗長バージョンを伝送し続けるであろう。
【０１２７】
一実施例では、前述の５つの実施形態のうちの少なくとも１つに基づいて、ＰＩ情報に対応するＲＮＴＩが、上位層シグナリングによって１つを上回る値を用いて構成されるとき、異なるＲＮＴＩ値は、以下のもの、すなわち、２つ以上のＲＮＴＩ値が、構成されるとき、第１の値は、アップリンクサービスの伝送が全てキャンセルまたは停止されることを示し、第２の値は、アップリンクサービスの対立する伝送のみがキャンセルまたは停止されるであろうことを示すこと、２つ以上のＲＮＴＩ値が、構成されるとき、第１の値は、全てのアップリンクチャネル／信号がキャンセルまたは停止されることを示し、第２の値は、ＰＵＳＣＨ上の伝送のみがキャンセルまたは停止されることを示すことのうちの少なくとも１つに基づいて、異なる意味を有する。
【０１２８】
別の実施形態では、アップリンク（ＵＬ）多重化が、異なるＵＥの間で使用される。本実施形態では、ＵＥ、例えば、ｅＭＢＢ  ＵＥは、ＵＬプリエンプションインジケータ（ＵＬ  ＰＩ）が、検出されると、そのアップリンク伝送を停止またはキャンセルまたはパンクチャ処理する。ＵＬ  ＰＩベースのソリューションに関して、２つの基本概念が、定義される。第１のものは、ＵＬ  ＰＩが伝送されるときの時点（ＵＬ  ＰＩが位置する開始または終了シンボル）からＵＥがその伝送を停止またはキャンセルまたはパンクチャ処理するときの時点までの持続時間（「Ｔ」と表される）である。他のものは、基準ダウンリンクリソース（ＲＤＲ）と同様に、基準アップリンクリソース（ＲＵＲ）と称される、その上でＵＥが伝送しないリソース領域である。図１３は、上記に言及される定義の図示を提供する。
【０１２９】
ＵＲＬＬＣ  ＵＥおよびｅＭＢＢ  ＵＥに関する処理タイムラインは、有意に異なってもよい。ＵＬ  ＰＩ機構を実行可能にするために、Ｔは、可能な限り小さくあるべきである。一実施例では、Ｔは、ＵＲＬＬＣ  ＵＥに関するＵＬグラント伝送とＰＵＳＣＨ伝送との間の時間に等しい、またはそれよりも小さい。ｅＭＢＢ  ＵＥおよびＵＲＬＬＣ  ＵＥの両方に関するＴＡが、考慮される場合（図１３に図示せず）、Ｔは、さらにより小さくあり得る。ｅＭＢＢ  ＵＥが、そのような短時間でＵＬ  ＰＩを処理することは、大きな課題であり得る。当然ながら、ｅＭＢＢおよびＵＲＬＬＣの両方をサポートするＵＥに関する懸念は、存在し得ないが、ｅＭＢＢのみをサポートし得るいくつかの他のＵＥが、依然として存在する。それらのＵＥに関して、それらが、それらのＰＵＳＣＨ伝送を停止／キャンセル／パンクチャ処理し得る前に、それらがＵＬ  ＰＩを処理するための十分な時間が、存在しない場合がある。
【０１３０】
主に、ＴおよびＲＵＲをシグナリングするための２つの異なる様式が、存在する。第１の様式（Ｍ−１）では、ＴおよびＲＵＲの両方は、上位層において構成または事前定義される。第２の様式（Ｍ−２）では、Ｔおよび／またはＲＵＲは、動的に示される。Ｍ−２に関して、持続時間およびＲＵＲは、より高いＤＣＩオーバーヘッドを犠牲にしてより柔軟に示されることができる。一実施形態では、そのような柔軟性は、あまり必要ではないようであり、Ｍ−１が、好ましい。
【０１３１】
さらなる設計考慮事項（Ｍ  １−１およびＭ  １−２）が、下記のＭ−１に関して提供される。ＵＥ監視周期性（Ｐ）とＲＵＲの時間粒度（ＲＵＲ＿Ｔ）との間の関係は、ＵＬ  ＰＩの設計に影響を及ぼし得る。
【０１３２】
Ｍ  １−１：Ｐ＜ＲＵＲ＿Ｔである。図１４に示されるように、ＵＬ  ＰＩに関するＵＥ監視周期性は、ミニスロットベースであり、すなわち、Ｐ＝１  ｍｉｎｉ＿ｓｌｏｔである。ｅＭＢＢ伝送は、一般的にスロットベースであるため、ＲＵＲの時間ドメインは、ＵＥがＵＬ  ＰＩに応答するべきであるスロット全体として定義される。ＲＵＲは、スロットを横断しない。すなわち、ＲＵＲ＿Ｔ＝１スロットである。さらに、ｇＮＢがＵＲＬＬＣに関するスケジューリングを予測し得るかどうかに応じて、ＵＬ  ＰＩは、異なってもよい。
【０１３３】
一実施例では、ＵＬ  ＰＩがＵＥあたり１ビットであると仮定して、下記の表１は、伝送されるべきＵＬ  ＰＩの実施例を与える。表１に示されるように、ＵＬ  ＰＩは、ｔ１上で伝送されるとき、それぞれ、ＵＥ１、ＵＥ２、およびＵＥ３に関して「１００」に設定されるべきであり、ｇＮＢが、これがＵＬ  ＰＩを送信する瞬間にＵＲＬＬＣの後のスケジューリングを予測することが可能ではない場合に関してｔ２上で送信されるとき、「１１１」に設定されるべきである。すなわち、ＵＥ２およびＵＥ３に関するＵＬ  ＰＩは、異なるＰＩ伝送機会において変化し、後のものは、以前のものにオーバーライドするべきである。これは、これが、「１」を示すＵＬ  ＰＩを受信するまで、全てのＰＩ伝送機会においてＵＥにＵＬ  ＰＩを監視し続けさせる。ＵＥは、これが、「１」を示すＵＬ  ＰＩを受信する場合、その全体または残りのＰＵＳＣＨ伝送を停止するべきである。
【０１３４】
【表１】
2021520135.tif 000027
【０１３５】
ｇＮＢが、スロット全体におけるＵＲＬＬＣのスケジューリングを予測することができる場合、ＵＬ  ＰＩは、ｔ１およびｔ２上の両方で伝送されるときに「１１１」に設定されるべきである。ｔ１以外の機会にＵＬ  ＰＩを伝送するかどうかは、ｇＮＢの実装次第である。複数のＵＬ  ＰＩ伝送は、ＵＬ  ＰＩ誤検出の場合にある程度役立ち得る。例えば、ＵＥ２が、ｔ１においてＵＬ  ＰＩを見逃すが、ｔ２においてＵＬ  ＰＩを受信する場合、これは、ｔ４までにはそのＰＵＳＣＨ伝送を依然として停止することができ、これは、ＵＥ５のＵＲＬＬＣ  ＰＵＳＣＨ伝送に対していかなる影響も及ぼさない。しかし、ＵＥ１に関する場合は、そうではない。ＵＥ１が、ｔ１においてＵＬ  ＰＩを見逃し、ｔ２においてＵＬ  ＰＩを受信する場合、ＵＥ１は、ｔ３においてその伝送を停止しないであろう。したがって、これは、ＵＥ４のＵＲＬＬＣ伝送に影響を及ぼすであろう。この場合では、ＵＥは、いったんこれが、「１」を示すＵＬ  ＰＩを受信すると、全てのＰＩ伝送機会にＵＬ  ＰＩを監視し続けることを必要としない場合がある。この場合では、ＵＥは、これが、「１」を示すＵＬ  ＰＩを受信する場合、その全体または残りのＰＵＳＣＨ伝送を停止する。
【０１３６】
ＵＬ  ＰＩに関する上記に言及される実施例は、ＵＥ単位ベースである。ＵＬ  ＰＩに関する他のフォーマット設計が、存在してもよい。これは、ＤＬ  ＰＩと類似する方法で設計されることができる。すなわち、ｇＮＢは、ＲＵＲをＸ個のサブブロックに分割し、Ｘビットを使用し、対応するサブブロック内にＵＲＬＬＣ伝送が存在するかどうか、およびその場所を示すことができる。図１５は、本設定下の実施例を提供する。
【０１３７】
ある実施例では、ＲＵＲが、周波数ドメインにおいて３つのサブＢＷＰに分割され、３ビットが、ビットマップによって３つのサブＢＷＰに関するＵＲＬＬＣ伝送が存在するであろうかどうかを示すために使用されると仮定する。下記の表２は、伝送されるべきＵＬ  ＰＩの実施例を提供する。表２に示されるように、ＵＬ  ＰＩは、ｔ１上で伝送されるとき、それぞれ、サブＢＷＰ１、サブＢＷＰ２、およびサブＢＷＰ３に関して「１１０」に設定されるべきであり、ｇＮＢが、これがＵＬ  ＰＩを送信する瞬間にＵＲＬＬＣの後のスケジューリングを予測することが可能ではない場合に関してｔ２上で送信されるとき、「１１１」に設定されるべきである。すなわち、サブＢＷＰ２およびサブＢＷＰ３に関するＵＬ  ＰＩは、異なるＰＩ伝送機会において変化し、後のものは、以前のものにオーバーライドするべきである。これは、全てのＰＩ伝送機会においてＵＥにＵＬ  ＰＩを監視し続けさせる。
【０１３８】
【表２】
2021520135.tif 000028
【０１３９】
ｇＮＢが、スロット全体におけるＵＲＬＬＣのスケジューリングを予測することができる場合、ＵＬ  ＰＩは、ｔ１およびｔ２上の両方で伝送されるときに「１１１」に設定されるべきである。この場合では、ＵＥ２に関して、これは、ｔ３〜ｔ４の間に起こるいかなる衝突も、存在しない場合であっても、これが、ｔ１上で送信されたＵＬ  ＰＩを受信した場合、ｔ３におけるそのＰＵＳＣＨ伝送を停止するべきである。これは、ＰＩの時間ドメイン粒度が、大きすぎるためである。したがって、この場合では、ＲＵＲの時間ドメインもまた、サブスロットに分割されることができる。例えば、ＤＬ  ＰＩと同様に、Ｎ×Ｍビットマップが、各サブブロック内にＵＲＬＬＣ伝送が存在するかどうかを示すために使用されることができる。この場合では、ＵＥは、「１」を示すＵＬ  ＰＩを伴うサブブロック上の伝送を停止するべきである。これは、スロット内の非連続的伝送に関していかなる困難も有していないＵＥのために好適である。ＵＥが、そのような動作を実施することが可能ではない場合、そのようなより微細な時間粒度においてパンクチャ処理を示すいかなる必要性も、存在しない。
【０１４０】
Ｍ  １−２：Ｐ＝ＲＵＲ＿Ｔである。図１６に示されるように、ＵＬ  ＰＩおよびＲＵＲ＿Ｔに関するＵＥ監視周期性の両方は、ミニスロットベースである。この場合では、ＵＲＬＬＣのスケジューリング粒度と同一のＵＥ監視周期性を設定することが、より良好である。このように、いかなるスケジューリング予測も、ｇＮＢ側から要求されない。ＲＵＲの時間ドメインが、比較的に小さいことを考慮して、ＵＬ  ＰＩが周波数ドメインにおける衝突のみを示すことが、十分であり得る。
【０１４１】
その意味で、ＵＥ単位ベースのインジケーションおよびサブブロックベースの（周波数ドメインにおける）インジケーションの両方が、可能である。下記の表３は、ＵＥ単位ベースのインジケーションおよびサブブロックインジケーションの両方に関して送信されるべき例示的ＵＬ  ＰＩを提供する。
【０１４２】
【表３】
2021520135.tif 000029
【０１４３】
この場合では、ＵＥは、ＵＬ  ＰＩによって示される衝突する時間ドメインシンボル上の伝送をドロップするだけでよい。伝送をパンクチャ処理または遅延させることもまた、衝突する時間ドメインシンボル上の伝送に関して考慮されるべきである。スロット内の非連続的伝送に関するＵＥ能力に応じて、ＵＬ  ＰＩは、下記の通りであってもよい。
【０１４４】
スロット内の非連続的伝送に関するＵＥ能力がサポートされる場合では、Ｐ＝ＲＵＲ＿Ｔであり、また、ＵＲＬＬＣの時間ドメインスケジューリング粒度に等しいべきである。ＵＥ単位ベースおよびサブブロックベースのＰＩの両方が、考慮されることができる。ＵＥ単位ベースに関して、１プリエンプションビットは、１つのＵＥに関し、サブブロックベースに関して、１プリエンプションビットは、１つのサブブロック（周波数ドメイン内のみ）に関する。
【０１４５】
スロット内の非連続的伝送に関するＵＥ能力がサポートされない場合では、Ｐ＜ＲＵＲ＿Ｔである。ＵＥ単位ベースのＰＩが、より好ましい。ＵＬ  ＰＩは、異なる伝送機会において変化してもよい。
【０１４６】
上記の実施形態に説明される情報インジケーション方法を通して、インジケーション情報によって示される基準アップリンクリソース領域を決定することによって、スケジューリングされているアップリンク伝送が、インジケーションに基づいて、キャンセルまたは停止されてもよく、これは、低遅延および高信頼性サービスがリソース領域内で伝送されることを可能にし、プリエンプトされるユーザ伝送信号からの干渉を回避し、低遅延および高信頼性サービス性能を確実にする。
【０１４７】
本開示の種々の実施形態が、上記に説明されたが、それらは、限定としてではなく、実施例としてのみ提示されたことを理解されたい。同様に、種々の略図は、当業者が本開示の例示的特徴および機能を理解することを可能にするために提供される、例示的アーキテクチャまたは構成を描写し得る。しかしながら、そのような当業者は、本開示が、例証される例示的アーキテクチャまたは構成に制限されず、種々の代替アーキテクチャおよび構成を使用して実装され得ることを理解するであろう。加えて、当業者によって理解されるであろうように、１つの実施形態の１つ以上の特徴は、本明細書に説明される別の実施形態の１つ以上の特徴と組み合わせられることができる。したがって、本開示の範疇および範囲は、上記に説明される例示的実施形態のうちのいずれかによって限定されるべきではない。
【０１４８】
また、「第１」、「第２」等の指定を使用する本明細書における要素のいずれの言及も、概して、それらの要素の量または順序を限定しないことを理解されたい。むしろ、これらの指定は、２つ以上の要素または要素の事例を区別する便宜的な手段として本明細書に使用されることができる。したがって、第１および第２の要素の言及は、２つの要素のみが採用され得ること、または第１の要素がある様式で第２の要素に先行しなければならないことを意味しない。
【０１４９】
加えて、当業者は、情報および信号が種々の異なる技術および技法のうちのいずれかを使用して表され得ることを理解するであろう。例えば、上記の説明において言及され得る、例えば、データ、命令、コマンド、情報、信号、ビット、およびシンボルは、電圧、電流、電磁波、磁場または磁性粒子、光学場または光学粒子、またはそれらの任意の組み合わせによって表されることができる。
【０１５０】
当業者はさらに、本明細書に開示される側面と関連して説明される種々の例証的論理ブロック、モジュール、プロセッサ、手段、回路、方法、および機能のうちのいずれかが、電子ハードウェア（例えば、デジタル実装、アナログ実装、または２つの組み合わせ）、ファームウェア、命令を組み込むプログラムまたは設計コードの種々の形態（本明細書では、便宜的に、「ソフトウェア」または「ソフトウェアモジュール」と称され得る）、またはこれらの技法の任意の組み合わせによって実装され得ることを理解するであろう。
【０１５１】
ハードウェア、ファームウェア、およびソフトウェアの本互換性を明確に例証するために、種々の例証的コンポーネント、ブロック、モジュール、回路、およびステップが、概して、それらの機能性の観点から上記に説明された。そのような機能性がハードウェア、ファームウェアまたはソフトウェア、またはこれらの技法の組み合わせとして実装されるかどうかは、システム全体に課される特定の用途および設計制約に依存する。当業者は、各特定の用途に関して種々の方法で説明される機能性を実装することができるが、そのような実装決定は、本開示の範囲からの逸脱を引き起こさない。種々の実施形態によると、プロセッサ、デバイス、コンポーネント、回路、構造、機械、モジュール等が、本明細書に説明される機能のうちの１つ以上のものを実施するように構成されることができる。規定された動作または機能に関して本明細書に使用されるような用語「〜するように構成される」または「〜のために構成される」は、規定された動作または機能を実施するように物理的に構築、プログラム、および／または配列されるプロセッサ、デバイス、コンポーネント、回路、構造、機械、モジュール等を指す。
【０１５２】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、またはそれらの任意の組み合わせを含み得る、集積回路（ＩＣ）内に実装される、またはそれによって実施され得ることを理解するであろう。論理ブロック、モジュール、および回路はさらに、ネットワーク内またはデバイス内の種々のコンポーネントと通信するために、アンテナおよび／または送受信機を含むことができる。汎用プロセッサは、マイクロプロセッサであり得るが、代替では、プロセッサは、任意の従来のプロセッサ、コントローラ、または状態マシンであり得る。プロセッサはまた、コンピューティングデバイスの組み合わせ、例えば、ＤＳＰおよびマイクロプロセッサの組み合わせ、複数のマイクロプロセッサ、ＤＳＰコアと併せた１つ以上のマイクロプロセッサ、または本明細書に説明される機能を実施するための任意の他の好適な構成として実装されることができる。
【０１５３】
ソフトウェアにおいて実装される場合、機能は、コンピュータ可読媒体上の１つ以上の命令またはコードとして記憶されることができる。したがって、本明細書に開示される方法またはアルゴリズムのステップは、コンピュータ可読媒体上に記憶されるソフトウェアとして実装されることができる。コンピュータ可読媒体は、コンピュータプログラムまたはコードを１つの場所から別の場所に転送することを可能にされ得る任意の媒体を含む、コンピュータ記憶媒体および通信媒体の両方を含む。記憶媒体は、コンピュータによってアクセスされ得る任意の利用可能な媒体であり得る。実施例として、限定ではないが、そのようなコンピュータ可読媒体は、ＲＡＭ、ＲＯＭ、ＥＥＰＲＯＭ、ＣＤ−ＲＯＭ、または他の光学ディスク記憶装置、磁気ディスク記憶装置または他の磁気記憶デバイス、または命令またはデータ構造の形態において所望のプログラムコードを記憶するために使用され得、コンピュータによってアクセスされ得る任意の他の媒体を含むことができる。
【０１５４】
本書では、本明細書に使用されるような用語「モジュール」は、本明細書に説明される関連付けられる機能を実施するためのソフトウェア、ファームウェア、ハードウェア、およびこれらの要素の任意の組み合わせを指す。加えて、議論の目的のために、種々のモジュールが、離散モジュールとして説明されるが、しかしながら、当業者に明白であろうように、２つ以上のモジュールが、本開示の実施形態による関連付けられる機能を実施する単一のモジュールを形成するために組み合わせられてもよい。
【０１５５】
加えて、メモリまたは他の記憶装置、および通信コンポーネントが、本開示の実施形態において採用されてもよい。明確化の目的のために、上記の説明は、異なる機能ユニットおよびプロセッサを参照して、本開示の実施形態を説明したことを理解されたい。しかしながら、異なる機能ユニット、処理論理要素、またはドメインの間の機能性の任意の好適な分散が、本開示から逸脱することなく使用され得ることが明白となるであろう。例えば、別個の処理論理要素またはコントローラによって実施されるように例証される機能性は、同一の処理論理要素またはコントローラによって実施されてもよい。したがって、具体的機能ユニットの言及は、厳密な論理的または物理的構造または編成を示すのではなく、説明される機能性を提供するための好適な手段の言及にすぎない。
本開示に説明される実装の種々の修正が、当業者に容易に明白となり、本明細書に定義される一般的原理は、本開示の範囲から逸脱することなく、他の実装に適用されることができる。したがって、本開示は、本明細書に示される実装に限定されることを意図しておらず、下記の請求項に列挙されるように、本明細書に開示される新規の特徴および原理と一貫する最も広い範囲を与えられるものである。
【図１】
2021520135.tif 000030
【図２】
2021520135.tif 000031
【図３】
2021520135.tif 000032
【図４】
2021520135.tif 000033
【図５】
2021520135.tif 000034
【図６】
2021520135.tif 000035
【図７】
2021520135.tif 000036
【図８】
2021520135.tif 000037
【図９】
2021520135.tif 000038
【図１０】
2021520135.tif 000039
【図１１】
2021520135.tif 000040
【図１２】
2021520135.tif 000041
【図１３】
2021520135.tif 000042
【図１４】
2021520135.tif 000043
【図１５】
2021520135.tif 000044
【図１６】
2021520135.tif 000045
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
無線通信デバイスによって実施される方法であって、前記方法は、
インジケーション情報を受信することであって、前記インジケーション情報は、第１のリソース領域が少なくとも部分的にプリエンプトされることを示す、ことと、
前記インジケーション情報に基づいて、アップリンク伝送をキャンセルまたは停止またはパンクチャ処理することと
を含む、方法。
【請求項２】
前記アップリンク伝送は、物理アップリンク共有チャネル（ＰＵＳＣＨ）、物理アップリンク制御チャネル（ＰＵＣＣＨ）、またはサウンディング基準信号（ＳＲＳ）のうちの少なくとも１つに基づくデータ伝送を含む、請求項１に記載の方法。
【請求項３】
前記第１のリソース領域のオフセット値または前記第１のリソース領域の長さのうちの少なくとも１つに基づいて、前記第１のリソース領域を識別することをさらに含む、請求項１に記載の方法。
【請求項４】
前記オフセット値は、固定値、上位層シグナリングによって構成される値、または前記インジケーション情報内に含まれる値のうちの少なくとも１つに基づいて決定され、
前記オフセット値は、前記インジケーション情報が位置する制御リソースセットの開始または終了シンボルからオフセットされるシンボルまたはスロットの数を表す、請求項３に記載の方法。
【請求項５】
前記長さは、固定値、上位層シグナリングによって構成される値、または前記インジケーション情報内に含まれる値のうちの少なくとも１つに基づいて決定され、
前記上位層シグナリングによって構成される値は、前記インジケーション情報の監視周期の整数倍である、請求項３に記載の方法。
【請求項６】
前記第１のリソース領域は、アップリンク伝送プリエンプトによって少なくとも部分的にプリエンプトされ、
前記オフセット値は、前記アップリンク伝送プリエンプトのスケジューリング遅延よりも大きくなく、
前記アップリンク伝送プリエンプトのスケジューリング遅延は、
前記インジケーション情報の処理遅延、または
前記処理遅延およびタイミングアドバンス（ＴＡ）の合計であって、前記ＴＡは、前記無線通信デバイスのＴＡまたは前記無線通信デバイスを含む無線通信デバイスのグループの最大ＴＡのうちの少なくとも１つである、前記処理遅延およびタイミングアドバンス（ＴＡ）の合計
のうちの少なくとも１つよりも小さくない、請求項３に記載の方法。
【請求項７】
前記インジケーション情報は、
第１の量のビットであって、そのそれぞれが、前記第１の量の監視周期を含む前記第１のリソース領域内の対応する監視周期がプリエンプトされるかどうかを示す、第１の量のビット、または
第２の量のビットであって、そのそれぞれが、前記第２の量の無線通信デバイスのグループのうちの対応するものからのアップリンク伝送がプリエンプトされるかどうかを示す、第２の量のビットと
のうちの少なくとも１つを含む、請求項１に記載の方法。
【請求項８】
前記アップリンク伝送は、前記第１のリソース領域と対立する第２のリソース領域上でスケジューリングまたは構成される、請求項１に記載の方法。
【請求項９】
受信されたアップリンク（ＵＬ）グラントに応答して、インジケーション情報の検出を開始すること、
前記第１のリソース領域と前記第２のリソース領域との間の対立に応答して、前記アップリンク伝送をキャンセルまたは停止またはパンクチャ処理すること、
前記第１のリソース領域と前記第２のリソース領域との間の対立が存在するかどうかにかかわらず、前記アップリンク伝送をキャンセルまたは停止すること、
前記アップリンク伝送を停止し、前記プリエンプトされたリソースの後に再開すること、
前記アップリンク伝送を停止し、前記プリエンプトされたリソースの後に遅延させること、
次のＵＬグラントが受信されるまで、後続インジケーション情報の検出を停止すること、
前記第１のリソース領域が位置するスロット内のアップリンク伝送をキャンセルすること、
前記スロット内の前記第１のリソース領域に続くリソース領域を示す後続インジケーション情報の検出を停止すること、または
前記アップリンク伝送とのいかなる対立も有していないプリエンプトされたリソース領域を示す後続インジケーション情報に応答して、前記スロット内の前記アップリンク伝送を再開すること
のうちの少なくとも１つをさらに含む、請求項８に記載の方法。
【請求項１０】
前記アップリンク伝送は、複数のスロットを含む前記第２のリソース領域上でスロットアグリゲーションの様式で伝送されるようにスケジューリングされており、
前記複数のスロットは、少なくとも１つのプリエンプトされたスロットを含み、
前記方法はさらに、
前記スロットアグリゲーションに従って、前記少なくとも１つのプリエンプトされたスロット内にスケジューリングされた第１の冗長バージョンを決定することと、
前記第１の冗長バージョンが冗長バージョン０（ＲＶ０）であることに基づいて、前記少なくとも１つのプリエンプトされたスロットの後に前記第１の冗長バージョンを伝送することと、
オリジナル冗長バージョンパターンに基づいて、前記少なくとも１つのプリエンプトされたスロットの後に第２の冗長バージョンを伝送することと
を含む、請求項８に記載の方法。
【請求項１１】
無線通信ノードによって実施される方法であって、前記方法は、
インジケーション情報を伝送することであって、
前記インジケーション情報は、第１のリソース領域が少なくとも部分的にプリエンプトされることを示し、
アップリンク伝送は、前記インジケーション情報に基づいて、キャンセルまたは停止またはパンクチャ処理されるべきである、こと
を含む、方法。
【請求項１２】
前記アップリンク伝送は、物理アップリンク共有チャネル（ＰＵＳＣＨ）、物理アップリンク制御チャネル（ＰＵＣＣＨ）、またはサウンディング基準信号（ＳＲＳ）のうちの少なくとも１つに基づくデータ伝送を含む、請求項１１に記載の方法。
【請求項１３】
前記第１のリソース領域は、前記第１のリソース領域のオフセット値または前記第１のリソース領域の長さのうちの少なくとも１つに基づいて決定される、請求項１１に記載の方法。
【請求項１４】
前記オフセット値は、固定値、上位層シグナリングによって構成される値、または前記インジケーション情報内に含まれる値のうちの少なくとも１つに基づいて決定され、
前記オフセット値は、前記インジケーション情報が位置する制御リソースセットの開始または終了シンボルからオフセットされるシンボルまたはスロットの数を表す、請求項１３に記載の方法。
【請求項１５】
前記長さは、固定値、上位層シグナリングによって構成される値、または前記インジケーション情報内に含まれる値のうちの少なくとも１つに基づいて決定され、
前記上位層シグナリングによって構成される値は、前記インジケーション情報の監視周期の整数倍である、請求項１３に記載の方法。
【請求項１６】
前記第１のリソース領域は、アップリンク伝送プリエンプトによって少なくとも部分的にプリエンプトされ、
前記オフセット値は、前記アップリンク伝送プリエンプトのスケジューリング遅延よりも大きくなく、
前記アップリンク伝送プリエンプトのスケジューリング遅延は、
前記インジケーション情報の処理遅延、または
前記処理遅延およびタイミングアドバンス（ＴＡ）の合計であって、前記ＴＡは、前記無線通信デバイスのＴＡまたは前記無線通信デバイスを含む無線通信デバイスのグループの最大ＴＡのうちの少なくとも１つである、前記処理遅延およびタイミングアドバンス（ＴＡ）の合計と
のうちの少なくとも１つよりも小さくない、請求項１３に記載の方法。
【請求項１７】
前記インジケーション情報は、
第１の量のビットであって、そのそれぞれが、前記第１の量の監視周期を含む前記第１のリソース領域内の対応する監視周期がプリエンプトされるかどうかを示す、第１の量のビット、または
第２の量のビットであって、そのそれぞれが、前記第２の量の無線通信デバイスのグループのうちの対応するものからのアップリンク伝送がプリエンプトされるかどうかを示す、第２の量のビット
のうちの少なくとも１つを含む、請求項１１に記載の方法。
【請求項１８】
前記アップリンク伝送は、前記第１のリソース領域と対立する第２のリソース領域上でスケジューリングまたは構成される、請求項１１に記載の方法。
【請求項１９】
請求項１に記載の方法を実行するように構成される、無線通信デバイス。
【請求項２０】
請求項１１に記載の方法を実行するように構成される、無線通信ノード。
【手続補正２】
【補正対象書類名】明細書
【補正対象項目名】００１０
【補正方法】変更
【補正の内容】
【００１０】
なおも別の実施形態では、いくつかの実施形態において開示される方法を実行するためのコンピュータ実行可能命令をその上に記憶している、非一過性コンピュータ可読媒体が、開示される。
（項目１）
無線通信デバイスによって実施される方法であって、上記方法は、
インジケーション情報を受信することであって、上記インジケーション情報は、第１のリソース領域が少なくとも部分的にプリエンプトされることを示す、ことと、
上記インジケーション情報に基づいて、アップリンク伝送をキャンセルまたは停止またはパンクチャ処理することと
を含む、方法。
（項目２）
上記アップリンク伝送は、物理アップリンク共有チャネル（ＰＵＳＣＨ）、物理アップリンク制御チャネル（ＰＵＣＣＨ）、サウンディング基準信号（ＳＲＳ）のうちの少なくとも１つに基づくデータ伝送を含む、項目１に記載の方法。
（項目３）
上記第１のリソース領域のオフセット値および上記第１のリソース領域の長さのうちの少なくとも１つに基づいて、上記第１のリソース領域を識別することをさらに含む、項目１に記載の方法。
（項目４）
上記オフセット値は、固定値、上位層シグナリングによって構成される値、および上記インジケーション情報内に含まれる値のうちの少なくとも１つに基づいて決定され、
上記オフセット値は、上記インジケーション情報が位置する制御リソースセットの開始または終了シンボルからオフセットされるシンボルまたはスロットの数を表す、項目３に記載の方法。
（項目５）
上記長さは、固定値、上位層シグナリングによって構成される値、および上記インジケーション情報内に含まれる値のうちの少なくとも１つに基づいて決定され、
上記上位層シグナリングによって構成される値は、上記インジケーション情報の監視周期の整数倍である、項目３に記載の方法。
（項目６）
上記第１のリソース領域は、アップリンク伝送プリエンプトによって少なくとも部分的にプリエンプトされ、
上記オフセット値は、上記アップリンク伝送プリエンプトのスケジューリング遅延よりも大きくなく、
上記アップリンク伝送プリエンプトのスケジューリング遅延は、
上記インジケーション情報の処理遅延と、
上記処理遅延およびタイミングアドバンス（ＴＡ）の合計であって、上記ＴＡは、上記無線通信デバイスのＴＡおよび上記無線通信デバイスを含む無線通信デバイスのグループの最大ＴＡのうちの少なくとも１つである、上記処理遅延およびタイミングアドバンス（ＴＡ）の合計と
のうちの少なくとも１つよりも小さくない、項目３に記載の方法。
（項目７）
上記インジケーション情報は、
第１の量のビットであって、そのそれぞれが、上記第１の量の監視周期を含む上記第１のリソース領域内の対応する監視周期がプリエンプトされるかどうかを示す、第１の量のビットと、
第２の量のビットであって、そのそれぞれが、上記第２の量の無線通信デバイスのグループのうちの対応するものからのアップリンク伝送がプリエンプトされるかどうかを示す、第２の量のビットと
のうちの少なくとも１つを含む、項目１に記載の方法。
（項目８）
上記アップリンク伝送は、上記第１のリソース領域と対立する第２のリソース領域上でスケジューリングまたは構成される、項目１に記載の方法。
（項目９）
受信されたアップリンク（ＵＬ）グラントに応答して、インジケーション情報の検出を開始することと、
上記第１のリソース領域と上記第２のリソース領域との間の対立に応答して、上記アップリンク伝送をキャンセルまたは停止またはパンクチャ処理することと、
上記第１のリソース領域と上記第２のリソース領域との間の対立が存在するかどうかにかかわらず、上記アップリンク伝送をキャンセルまたは停止することと、
上記アップリンク伝送を停止し、上記プリエンプトされたリソースの後に再開することと、
上記アップリンク伝送を停止し、上記プリエンプトされたリソースの後に遅延させることと、
次のＵＬグラントが受信されるまで、後続インジケーション情報の検出を停止することと、
上記第１のリソース領域が位置するスロット内のアップリンク伝送をキャンセルすることと、
上記スロット内の上記第１のリソース領域に続くリソース領域を示す後続インジケーション情報の検出を停止することと、
上記アップリンク伝送とのいかなる対立も有していないプリエンプトされたリソース領域を示す後続インジケーション情報に応答して、上記スロット内の上記アップリンク伝送を再開することと
のうちの少なくとも１つをさらに含む、項目８に記載の方法。
（項目１０）
上記アップリンク伝送は、複数のスロットを含む上記第２のリソース領域上でスロットアグリゲーションの様式で伝送されるようにスケジューリングされており、
上記複数のスロットは、少なくとも１つのプリエンプトされたスロットを含み、
上記方法はさらに、
上記スロットアグリゲーションに従って、上記少なくとも１つのプリエンプトされたスロット内にスケジューリングされた第１の冗長バージョンを決定することと、
上記第１の冗長バージョンが冗長バージョン０（ＲＶ０）であることに基づいて、上記少なくとも１つのプリエンプトされたスロットの後に上記第１の冗長バージョンを伝送することと、
オリジナル冗長バージョンパターンに基づいて、上記少なくとも１つのプリエンプトされたスロットの後に第２の冗長バージョンを伝送することと
を含む、項目８に記載の方法。
（項目１１）
無線通信ノードによって実施される方法であって、上記方法は、
インジケーション情報を伝送することであって、
上記インジケーション情報は、第１のリソース領域が少なくとも部分的にプリエンプトされることを示し、
アップリンク伝送は、上記インジケーション情報に基づいて、キャンセルまたは停止またはパンクチャ処理されるべきである、こと
を含む、方法。
（項目１２）
上記アップリンク伝送は、物理アップリンク共有チャネル（ＰＵＳＣＨ）、物理アップリンク制御チャネル（ＰＵＣＣＨ）、サウンディング基準信号（ＳＲＳ）のうちの少なくとも１つに基づくデータ伝送を含む、項目１１に記載の方法。
（項目１３）
上記第１のリソース領域は、上記第１のリソース領域のオフセット値および上記第１のリソース領域の長さのうちの少なくとも１つに基づいて決定される、項目１１に記載の方法。
（項目１４）
上記オフセット値は、固定値、上位層シグナリングによって構成される値、および上記インジケーション情報内に含まれる値のうちの少なくとも１つに基づいて決定され、
上記オフセット値は、上記インジケーション情報が位置する制御リソースセットの開始または終了シンボルからオフセットされるシンボルまたはスロットの数を表す、項目１３に記載の方法。
（項目１５）
上記長さは、固定値、上位層シグナリングによって構成される値、および上記インジケーション情報内に含まれる値のうちの少なくとも１つに基づいて決定され、
上記上位層シグナリングによって構成される値は、上記インジケーション情報の監視周期の整数倍である、項目１３に記載の方法。
（項目１６）
上記第１のリソース領域は、アップリンク伝送プリエンプトによって少なくとも部分的にプリエンプトされ、
上記オフセット値は、上記アップリンク伝送プリエンプトのスケジューリング遅延よりも大きくなく、
上記アップリンク伝送プリエンプトのスケジューリング遅延は、
上記インジケーション情報の処理遅延と、
上記処理遅延およびタイミングアドバンス（ＴＡ）の合計であって、上記ＴＡは、上記無線通信デバイスのＴＡおよび上記無線通信デバイスを含む無線通信デバイスのグループの最大ＴＡのうちの少なくとも１つである、上記処理遅延およびタイミングアドバンス（ＴＡ）の合計と
のうちの少なくとも１つよりも小さくない、項目１３に記載の方法。
（項目１７）
上記インジケーション情報は、
第１の量のビットであって、そのそれぞれが、上記第１の量の監視周期を含む上記第１のリソース領域内の対応する監視周期がプリエンプトされるかどうかを示す、第１の量のビットと、
第２の量のビットであって、そのそれぞれが、上記第２の量の無線通信デバイスのグループのうちの対応するものからのアップリンク伝送がプリエンプトされるかどうかを示す、第２の量のビットと
のうちの少なくとも１つを含む、項目１１に記載の方法。
（項目１８）
上記アップリンク伝送は、上記第１のリソース領域と対立する第２のリソース領域上でスケジューリングまたは構成される、項目１１に記載の方法。
（項目１９）
項目１−１０のいずれか１項に記載の方法を実行するように構成される、無線通信デバイス。
（項目２０）
項目１１−１８のいずれか１項に記載の方法を実行するように構成される、無線通信ノード。
（項目２１）
項目１−１８のいずれか１項に記載の方法を実行するためのコンピュータ実行可能命令をその上に記憶している、非一過性コンピュータ可読媒体。
【国際調査報告】
2021520135.tif 000046
2021520135.tif 000047